(57)【要約】【課題】アルコール系香料の揮散が適度に抑制され、残香性に優れ、香りの持続性が向上する液体柔軟剤組成物を提供する。【解決手段】（Ａ）特定のエステル型第３級アミン化合物、その酸塩、及びその４級化物から選ばれる１種以上を含む成分、（Ｂ）特定のＮ−アルカノイルアミノアルキル−Ｎ，Ｎ−ジアルキルアミン及び／又はその酸塩、（Ｃ）アルコール系香料前駆体、並びに水を含有し、３０℃におけるｐＨが２．５以上４．０以下である、液体柔軟剤組成物。【選択図】なし【特許請求の範囲】
【請求項１】
下記（Ａ）成分、（Ｂ）成分、（Ｃ）成分、及び水を含有し、３０℃におけるｐＨが２．５以上４．０以下である、液体柔軟剤組成物。
（Ａ）成分：下記（ａ１）成分、及び（ａ２）成分から選ばれる１種以上を含む成分。
（ａ１）成分：下記一般式（１）で表される第３級アミン化合物、及びその酸塩。
（ａ２）成分：下記一般式（１）で表される第３級アミン化合物の４級化物。
〔Ｒ１−Ｃ（＝Ｏ）−Ｏ−（ＣｐＨ２ｐＯ）ｒ−ＣｑＨ２ｑ〕ｍＮ（Ｒ２）３−ｍ    （１）
〔式中、
Ｒ１は炭素数１１以上２３以下の炭化水素基であり、
Ｒ２は炭素数１以上３以下の炭化水素基及びＨＯ−（ＣｐＨ２ｐＯ）ｒ−ＣｑＨ２ｑ基から選ばれる基であり、
ｍは１以上３以下の数であり、ｐ及びｑはそれぞれ独立して２又は３の数であり、ｒは０以上５以下の数である。
同一分子内にＲ１、Ｒ２、ｐ、ｑ、ｒが複数存在する場合、それらは同一でも異なっていてもよい。〕
（Ｂ）成分：下記一般式（２）で示されるアミン化合物、及びその酸塩から選ばれる１種以上の化合物
【化１】
2020023773.tif 000013
〔式中、
Ｒ１０は炭素数１３以上１９以下のアルキル基又は炭素数１３以上１９以下のアルケニル基であり、
Ｒ１１は炭素数１以上６以下のアルキレン基であり、
Ｒ１２、Ｒ１３はそれぞれ独立して炭素数１以上３以下のアルキル基である。〕
（Ｃ）成分：アルコール系香料前駆体
【請求項２】
（Ｃ）成分が下記（Ｃ１）成分、（Ｃ２）成分及び（Ｃ３）成分から選ばれる１種以上である請求項１に記載の液体柔軟剤組成物。
（Ｃ１）成分：アルコール系香料化合物のケイ酸エステル化合物
（Ｃ２）成分：アルコール系香料化合物と、炭素数８以上１８以下の脂肪族モノカルボン酸又は炭素数３以上２０以下の脂肪族ジカルボン酸とのエステル化合物。
（Ｃ３）成分：アルコール系香料化合物を含有する香料を内包したマイクロカプセル。
【請求項３】
更に（Ｄ）成分として、（Ｃ）成分以外の香料を含有する、請求項１又は２に記載の液体柔軟剤組成物。
【請求項４】
（Ｂ）成分のアミン化合物の酸塩が、無機酸の塩である、請求項１〜３の何れか１項記載の液体柔軟剤組成物。
【請求項５】
（Ｂ）成分のアミン化合物の酸塩が、塩酸塩である、請求項４に記載の液体柔軟剤組成物。
【発明の詳細な説明】
【技術分野】
【０００１】
本発明は、液体柔軟剤組成物に関する。
【背景技術】
【０００２】
近年、一般家庭での洗濯物の香りに対する意識の高まりから、持続性のある香料や持続性付与成分を用いた衣料用洗浄剤及び仕上げ剤等の繊維製品処理剤組成物が種々検討されている。
しかしながら、一般家庭で使用する繊維処理剤組成物は水を介して繊維製品に処理されるため、繊維製品に付与された香料は乾燥時に水と共に揮散したり、乾燥後、経時的に香料が布上から揮散したりすることにより香りが弱くなる。
このような問題に対し、例えば、特許文献１には、香料化合物のケイ酸エステル化合物及び特定香料を含有し、布地上の香料の寿命を改善する繊維製品処理剤組成物が開示されている。また、特許文献２にはケイ酸エステル化合物と特定の高残香性香料を含有する柔軟剤用香料組成物が開示されている。
【０００３】
また、香りの持続性、及び残香性の向上を目的として香料をマイクロカプセル化して配合する試みがなされている。香料のマイクロカプセルは、芯物質の香料を壁材で包んだ粒子状物質であり、その役割は芯物質の香料を保護し、カプセルに物理的な力が加わった際にカプセルの壁が破れて芯物質の香料を放出するものである。
このようなマイクロカプセルとして特許文献３には、芯物質として引火点が５０〜１３０℃の範囲内の香料組成物を含有するカプセル化香料が記載されている。また、特許文献４には、高揮発性香料等の揮発成分と、それよりも高融点で相溶性がある添加剤を含有するマイクロカプセルが記載されている。
【０００４】
また特許文献５には融点３０℃以上の油脂と香料組成物との混合物を水に乳化させることで得られる香料を含有する乳化物粒子用いる繊維製品処理剤組成物が開示されており、香料持続性に優れることが開示されている。
【０００５】
更に、持続性のある香料に関する技術として、香料アルコールのエステルを用いることにより持続的に香料を発生させる技術が提案されている。
具体的に特許文献６には、特定のフレグラントアルコールと、Ｃ７〜Ｃ２４の特定のアルキル基を有するカルボン酸とのエステル化合物を含有する洗剤及び／又は織物柔軟剤で処理する織物の芳香付け法が開示されている。
特許文献７には、皮膚ケアやパーソナルケアに関し、放臭性アルコールと、任意に置換したＣ１−Ｃ３０アルキル等を有する酸とのエステルを含有する皮膚に接触すると放臭性を示すフレグランス先駆体組成物が開示されている。
【０００６】
また、特許文献８には、香気を長時間持続させることを目的として、二塩基酸モノエステル及び／又は二塩基酸ジエステルと、エチレングリコール又はプロピレングリコールとの混合物等を用いる衣類にも使用できる徐放性香料組成物が開示されている。
【０００７】
また、特許文献９には、特定の第３級アミン化合物及びその酸塩と、その４級化物とから選ばれる１種以上を含む（Ａ）成分、ｌｏｇＰ値が２．０以上６．０以下である香料化合物を９０質量％以上含有する香料を内包したマイクロカプセルからなる（Ｂ）成分、特定の香料と特定の脂肪酸エステル又は脂肪酸ジエステルとのエステルである香料前駆体からなる（Ｃ）成分、及び水を含有し、３０℃におけるｐＨが２．５以上４．０以下である、液体柔軟剤組成物が開示されている。
【先行技術文献】
【特許文献】
【０００８】
【特許文献１】特開２００９−２５６８１８号公報
【特許文献２】特開２０１１−０６３６７４号公報
【特許文献３】特開２００６−２４９３２６号公報
【特許文献４】国際公開第２００７／０３８５７０号
【特許文献５】特開２０１２−７２５３９号公報
【特許文献６】特表平８−５０２５２２号公報
【特許文献７】特表２０００−５１２６６３号公報
【特許文献８】特開２００３−３１３５８０号公報
【特許文献９】特開２０１７−００８４４６号公報
【発明の概要】
【発明が解決しようとする課題】
【０００９】
本発明者は、繊維製品への香料の賦香性を高め、持続性に改善すべく鋭意努力を重ねてきたことで、香料持続性に優れ、発汗時の揮発に関しても有効な技術を提案している。例えば特許文献９では、香料持続性と発汗時のニオイ立ちに優れる柔軟剤組成物を提供している。香料前駆体を用いることは、通常、香料の持続性の向上には有用であると考えられる。しかしながら、本発明者らは、香料化合物のなかでもアルコール系香料を用いたケイ酸エステル化合物や脂肪酸エステル化合物では、これらで処理した繊維製品を乾燥する過程において、加水分解が起こり易く、そしてそれによって生じたアルコール系香料化合物が親水性のため、水とともに揮発し易く、繊維製品に留まりにくいことから、その効果を十分に発揮できていないことを見出した。この点、香料前駆体が、香料と油脂との乳化物粒子や香料のマイクロカプセル体の場合は前記のような加水分解による影響は見られないが、香料の乳化物粒子は温度の高い部屋で乾燥すると香料は放出され易く、また香料のマイクロカプセル体については繊維製品に付着したマイクロカプセルが脱水工程等の何らかの物理的接触によりカプセルが破壊されることによって香料が放出されてしまうことがある。そのようにして放出された香料もまた同様の課題を生じることが懸念される。更にアルコール系香料化合物は、繊維製品の保管の間も繊維製品から放出され続け、着用する時はアルコール系香料化合物の多くが揮散しているようなことも考えられる。
【００１０】
本発明は、繊維製品を処理した場合に、アルコール系香料前駆体が加水分解した場合、あるいはアルコール系香料を含む粒子が融解した場合やアルコール系香料を含むカプセルが破壊した場合などにより、アルコール系香料前駆体からアルコール系香料が予定よりも早く繊維製品に放出された場合でもあっても、従来よりもアルコール系香料の揮散が適度に抑制され、残香性に優れ、香りの持続性が向上する液体柔軟剤組成物を提供するものである。
【課題を解決するための手段】
【００１１】
本発明は、下記（Ａ）成分、（Ｂ）成分、（Ｃ）成分、及び水を含有し、３０℃におけるｐＨが２．５以上４．０以下である、液体柔軟剤組成物に関する。
（Ａ）成分：下記（ａ１）成分、及び（ａ２）成分から選ばれる１種以上を含む成分。
（ａ１）成分：下記一般式（１）で表される第３級アミン化合物、及びその酸塩。
（ａ２）成分：下記一般式（１）で表される第３級アミン化合物の４級化物。
〔Ｒ１−Ｃ（＝Ｏ）−Ｏ−（ＣｐＨ２ｐＯ）ｒ−ＣｑＨ２ｑ〕ｍＮ（Ｒ２）３−ｍ    （１）
〔式中、
Ｒ１は炭素数１１以上２３以下の炭化水素基であり、
Ｒ２は炭素数１以上３以下の炭化水素基及びＨＯ−（ＣｐＨ２ｐＯ）ｒ−ＣｑＨ２ｑ基から選ばれる基であり、
ｍは１以上３以下の数であり、ｐ及びｑはそれぞれ独立して２又は３の数であり、ｒは０以上５以下の数である。
同一分子内にＲ１、Ｒ２、ｐ、ｑ、ｒが複数存在する場合、それらは同一でも異なっていてもよい。〕
（Ｂ）成分：下記一般式（２）で示されるアミン化合物、及びその酸塩から選ばれる１種以上の化合物
【００１２】
【化１】
2020023773.tif 000002
【００１３】
〔式中、
Ｒ１０は炭素数１３以上１９以下のアルキル基又は炭素数１３以上１９以下のアルケニル基であり、
Ｒ１１は炭素数１以上６以下のアルキレン基であり、
Ｒ１２、Ｒ１３はそれぞれ独立して炭素数１以上３以下のアルキル基である。〕
（Ｃ）成分：アルコール系香料前駆体
【発明の効果】
【００１４】
本発明によれば、アルコール系香料前駆体からアルコール系香料が予定よりも早く繊維製品に放出された場合でもあっても、従来よりもアルコール系香料の揮散が適度に抑制され、残香性に優れ、香りの持続性が向上する液体柔軟剤組成物を提供することができる。
【発明を実施するための形態】
【００１５】
［液体柔軟剤組成物］
本発明の液体柔軟剤組成物は、下記（Ａ）成分、（Ｂ）成分、（Ｃ）成分、及び水を含有し、３０℃におけるｐＨが２．５以上４．０以下であるものである。以下、各成分について説明する。
【００１６】
＜（Ａ）成分＞
本発明における（Ａ）成分は、下記（ａ１）成分、及び（ａ２）成分から選ばれる１種以上を含む成分である。
〔（ａ１）成分〕
本発明における（ａ１）成分は、下記一般式（１）で表される第３級アミン化合物、及びその酸塩である。
〔Ｒ１−Ｃ（＝Ｏ）−Ｏ−（ＣｐＨ２ｐＯ）ｒ−ＣｑＨ２ｑ〕ｍＮ（Ｒ２）３−ｍ    （１）
〔式中、
Ｒ１は炭素数１１以上２３以下の炭化水素基であり、
Ｒ２は炭素数１以上３以下の炭化水素基及びＨＯ−（ＣｐＨ２ｐＯ）ｒ−ＣｑＨ２ｑ基から選ばれる基であり、
ｍは１以上３以下の数であり、ｐ及びｑはそれぞれ独立して２又は３の数であり、ｒは０以上５以下の数である。
同一分子内にＲ１、Ｒ２、ｐ、ｑ、ｒが複数存在する場合、それらは同一でも異なっていてもよい。〕
【００１７】
一般式（１）中のＲ１は炭素数１１以上２３以下の炭化水素基であり、繊維製品の柔軟化の観点から、炭素数１３以上２１以下の非環式の炭化水素基が好ましい。Ｒ１の炭化水素基の具体例は、直鎖又は分岐鎖のアルキル基、アルケニル基が挙げられ、直鎖のアルキル基、アルケニル基がより好ましい。
Ｒ１のより具体的な例としては、炭素数１３以上２１以下の直鎖又は分岐鎖のアルキル基、炭素数１３以上２１以下の直鎖又は分岐鎖のアルケニル基が好ましく、炭素数１３以上２１以下の直鎖のアルキル基、及び炭素数１３以上２１以下の直鎖のアルケニル基から選ばれる基が挙げられる。
【００１８】
乳濁型の液体柔軟剤組成物が望まれる場合においては、液体柔軟剤組成物の製造容易性の観点から、Ｒ１は、炭素数１１以上２３以下のアルキル基、及び炭素数１１以上２３以下のアルケニル基から選ばれる基であることが好ましく、炭素数１３以上２１以下のアルキル基、及び炭素数１３以上２１以下のアルケニル基から選ばれる基であることがより好ましい。
本発明における（ａ１）成分は、前記一般式（１）におけるＲ１が異なる置換基で構成される化合物の混合物であることが好ましく、Ｒ１が、アルキル基である化合物とアルケニル基である化合物との混合物であることがより好ましい。
Ｒ１がアルキル基である化合物とＲ１がアルケニル基である化合物との割合は、原料となる脂肪酸又は脂肪酸エステルの組成によって決めることができる。アルキル基の量とアルケニル基の量の調整は、アルケニル基を有する原料の水素添加、又はＲ１がアルケニル基である化合物の水素添加により行うことができる。
【００１９】
前記アルケニル基に含まれる不飽和基はシス体とトランス体が存在する。トランス体に対するシス体のモル比［シス体／トランス体］は、好ましくは３０／７０以上９９／１以下であり、アルケニル基の入手性の観点から、より好ましくは５０／５０以上９７／３以下である。本発明において、シス体とトランス体の比は１Ｈ−ＮＭＲの積分比で算出することができる。
【００２０】
一般式（１）中のｐ及びｑは、それぞれ、２又は３の数である。処理した布吸水性保持の観点から、ｐは２が好ましい。（Ａ）成分の製造の容易性の観点から、ｑは２が好ましい。
一般式（１）中のｒは、繊維製品の柔軟化の点から、０以上２以下の数が好ましく、０がより好ましい。
Ｒ２は、吸水性の観点から、ＨＯ−（ＣｐＨ２ｐＯ）ｒ−ＣｑＨ２ｑ基、更にＨＯ−Ｃ２Ｈ４基が好ましい。
ｍは、吸水性の観点から１以上２以下が好ましい。
【００２１】
本発明における（ａ１）成分は、前述のとおり一般式（１）で表される第３級アミン化合物及びその酸塩であるが、液体柔軟剤組成物のｐＨにより、（ａ１）成分のほぼ全てが酸塩の状態で液体柔軟剤組成物中に存在していてもよい。
（ａ１）成分を構成する第３級アミン化合物が酸塩として存在する場合の酸としては、無機酸又は有機酸が挙げられる。
無機酸としては、塩酸、及び硫酸が挙げられる。
有機酸としては、炭素数１以上３以下のアルキル硫酸、炭素数１以上１０以下の１価又は多価のカルボン酸、及び炭素数１以上２０以下の１価又は多価のスルホン酸が挙げられる。有機酸の具体例としては、メチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、クエン酸、安息香酸、及びサリチル酸が挙げられる。
【００２２】
（ａ１）成分である一般式（１）で表されるアミン化合物の製造方法は特に制限されないが、例えば、下記一般式（１−１）で表わされるアルカノールアミン化合物と脂肪酸とのエステル化反応、又は一般式（１−１）で表わされるアルカノールアミン化合物と脂肪酸エステルとのエステル交換反応によって得ることができる。
前記脂肪酸としては、パーム核油由来、ヤシ油由来、牛脂、菜種油、ひまわり油由来の脂肪酸を用いることができ、脂肪酸比率を調製したものであってもよく、由来の違う脂肪酸を併用して用いてもよい。
【００２３】
〔ＨＯ−（ＣｐＨ２ｐＯ）ｒ−ＣｑＨ２ｑ〕ｎＮ（Ｒ３）３−ｎ    （１−１）
〔式中、Ｒ３は炭素数１以上３以下の炭化水素基から選ばれる基であり、ｎは１以上３以下の数、ｐ、ｑ、ｒは、前記一般式（１）と同じ意味を表す。〕
【００２４】
エステル化反応の例としては、例えば、特表２０００−５１０１７１号公報の８〜９頁目に記載されている方法を適用することができる。
エステル交換反応の例としては、例えば、特開平７−１３８２１１号公報の段落〔００１３〕〜段落〔００１６〕に記載の方法を適用することができる。
【００２５】
〔（ａ２）成分〕
本発明における（ａ２）成分は、前記一般式（１）で表される第３級アミン化合物の４級化物であり、一般式（１）で表される第３級アミン化合物とアルキル化剤を用いた４級化反応により得ることができる。
【００２６】
アルキル化剤としては、ジメチル硫酸、ジエチル硫酸、塩化メチル、臭化メチル、及びヨウ化メチル等が挙げられ、これらの中でも、塩化メチル、ジメチル硫酸及びジエチル硫酸から選ばれる１種以上が好ましい。すなわち、本発明における（ａ２）成分としては、一般式（１）で表される第３級アミン化合物を、塩化メチル、ジメチル硫酸及びジエチル硫酸から選ばれる１種以上のアルキル化剤で４級化した４級化物が好ましい。
４級化反応としては、例えば、特開平７−１３８２１１号公報の段落〔００１７〕〜段落〔００２３〕に記載の方法や、特開平１１−１０６３６６号公報に記載の製造方法を適用することができる。
【００２７】
（Ａ）成分は、１種類の化合物でもよく、２種類以上の化合物の混合物であってもよい。
（Ａ）成分が２種類以上の化合物の混合物である場合、ｍは、好ましくは１．２以上２．５以下の混合物を用いることができる。繊維製品の柔軟化の観点から、ｍは、好ましくは１．３以上、より好ましくは１．４以上であり、そして、好ましくは２．０以下、より好ましくは１．９以下である。
【００２８】
前記ｍを満たす混合物を得る上で、その原料となる一般式（１−１）の化合物は異なる構造の化合物を混合したものを用いてもよい。また、一般式（１−１）のｎが３の化合物を脂肪酸や脂肪酸エステルと反応させてｍが前記範囲の混合物を得ることも好ましい。
【００２９】
〔（ａ２）成分に対する（ａ１）成分の質量比〕
本発明における（Ａ）成分は、（ａ１）成分と（ａ２）成分との両方を含有することができる。この場合、（ａ２）成分に対する（ａ１）成分の質量比［（ａ１）成分／（ａ２）成分］は、好ましくは１／９９以上であり、そして、好ましくは４０／６０以下、より好ましくは３５／６５以下である。なお、混合物中の（ａ１）成分と（ａ２）成分との割合は混合物中のアミン価から求めることができる。
【００３０】
〔本発明において好ましい（Ａ）成分〕
本発明では、例えば次のようにして得られた（Ａ）成分を用いることが好ましい。
すなわち、一般式（１）で表される化合物として、メチルジエタノールアミン〔前記一般式（１−１）中、Ｒ３がメチル基であって、ｎ＝２、ｑ＝２、ｒ＝０で示される化合物である〕、及びトリエタノールアミン〔前記一般式（１−１）中、ｎ＝３、ｑ＝２、ｒ＝０で示される化合物である〕から選ばれるアルカノールアミン（ａ０−１）を用い、このアルカノールアミン（ａ０−１）と、炭素数１２以上２４以下の脂肪酸又はその低級アルキルエステル（ａ０−２）とを、モル数の比〔（ａ０−１）中の水酸基のモル数／（ａ０−２）のモル数〕が、１／１以上１／０．５以下となるようにエステル化反応させることにより得られる第３級アミン化合物（ａ１）を、塩化メチル、ジメチル硫酸及びジエチル硫酸から選ばれるアルキル化剤によって４級化反応させることで得られる、（ａ１）成分と（ａ２）成分とを含む（Ａ）成分が好ましい。なお、アルカノールアミン（ａ０−１）としてはトリエタノールアミンが好ましく、前記（ａ０−２）における低級アルキルエステルのアルキル基としては、好ましくは炭素数１以上３以下のアルキル基であり、より好ましくはメチル基である。更に、４級化に用いるアルキル化剤は、ジメチル硫酸が好ましい。
前述の方法により得られた（Ａ）成分中の（ａ２）成分に対する（ａ１）成分の質量比［（ａ１）成分／（ａ２）成分］は、（Ａ）成分の製造上の経済性の観点、及び本発明の効果と十分な柔軟性を得る観点から、好ましくは３／９７以上、より好ましくは５／９５以上であり、そして、好ましくは４０／６０以下、より好ましくは３５／６５以下である。また、前述の方法により得られた（Ａ）成分においては、（ａ１）成分及び（ａ２）成分の合計が、固形分中の９０質量％以上を占めることが好ましい。
【００３１】
（Ａ）成分は、その合成上、未反応の脂肪酸、未反応のアルカノールアミン、脂肪酸メチルエステル、及びその４級化物等の不純物を含んだ混合物として得ることができるが、製造方法を工夫することにより不純物を低減させることができ、本発明の効果や柔軟効果を損なわない限り、製造コストの観点から、それらの不純物を除かなくてもよい。
【００３２】
また、（Ａ）成分としては、一般式（１）におけるｍが１である化合物、ｍが２である化合物、及びｍが３である化合物をそれぞれ含有する混合物を用いてもよい。
該混合物中のモル比［（ｍ＝１の化合物）／（ｍ＝１の化合物とｍ＝２の化合物とｍ＝３の化合物の合計）］は、柔軟効果の観点から、好ましくは１０／１００以上４０／１００以下である。
また、前記混合物中のモル比［（ｍ＝２の化合物）／（ｍ＝１の化合物とｍ＝２の化合物とｍ＝３の化合物との合計）］は、柔軟効果の観点から、好ましくは３０／１００以上９０／１００以下である。
更に、前記混合物中のモル比［（ｍ＝３の化合物）／（ｍ＝１の化合物とｍ＝２の化合物とｍ＝３の化合物の合計）］は、柔軟効果の観点から、好ましくは５／１００以上４０／１００以下である。
ここで、一般式（１）におけるｍが１である化合物、ｍが２である化合物、及びｍが３である化合物は、それぞれ、酸塩及び／又は４級化物を含む意味であってもよい。
本発明における（Ａ）成分は、柔軟効果の観点から、前述の３つのモル比から選ばれる２つ以上のモル比を満たすことが好ましい。
【００３３】
＜（Ｂ）成分＞
（Ｂ）成分は、前記一般式（２）で示されるアミン化合物、及びその酸塩から選ばれる１種以上の化合物である。
一般式（２）中、Ｒ１０は、好ましくは炭素数１５以上、そして、１７以下のアルキル基、より好ましくは炭素数１５の直鎖アルキル基及び炭素数１７の直鎖アルキル基から選ばれる基である。
一般式（２）中、Ｒ１１は、好ましくはエチレン基又はプロピレン基、より好ましくはプロピレン基である。
一般式（２）中、Ｒ１２、Ｒ１３は、それぞれ独立して、好ましくはメチル基又はエチル基、より好ましくはメチル基である。
【００３４】
前記一般式（２）で示されるアミン化合物の酸塩の酸としては、無機酸又は有機酸が挙げられる。すなわち、前記一般式（２）で示されるアミン化合物の酸塩としては、無機酸又は有機酸による塩が挙げられる。
無機酸としては、塩酸、及び硫酸が挙げられる。
有機酸としては、炭素数１以上３以下のアルキル硫酸、炭素数１以上１０以下の１価又は多価のカルボン酸、及び炭素数１以上２０以下の１価又は多価のスルホン酸が挙げられる。有機酸の具体例としては、メチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、クエン酸、安息香酸、及びサリチル酸が挙げられる。
無機酸としては、塩酸、及び硫酸が挙げられる。
有機酸としては、炭素数１以上３以下のアルキル硫酸、炭素数１以上１０以下の１価又は多価のカルボン酸、及び炭素数１以上２０以下の１価又は多価のスルホン酸が挙げられる。有機酸の具体例としては、メチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、クエン酸、安息香酸、及びサリチル酸が挙げられる。
又は有機酸が挙げられる。
無機酸としては、塩酸、及び硫酸が挙げられる。
有機酸としては、炭素数１以上３以下のアルキル硫酸、炭素数１以上１０以下の１価又は多価のカルボン酸、及び炭素数１以上２０以下の１価又は多価のスルホン酸が挙げられる。有機酸の具体例としては、メチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、クエン酸、安息香酸、及びサリチル酸が挙げられる。
前記一般式（２）で示されるアミン化合物の酸塩としては、塩酸塩、又は炭素数１以上１０以下の１価もしくは多価のカルボン酸塩が好ましく、塩酸塩、又はクエン酸塩がより好ましく、本発明の液体柔軟剤組成物の長期保存後の香り立ちの観点から、塩酸塩が更に好ましい。前記一般式（２）で示されるアミン化合物は、後述する（Ｊ）成分の酸剤により組成物中で酸塩となっていてもよい。
【００３５】
（Ｂ）成分としては、具体的には、パルミトイルアミノプロピルジメチルアミン及びステアロイルアミノプロピルジメチルアミンから選ばれる１種以上のアミン化合物が好ましい。
【００３６】
本発明者らは、（Ｂ）成分がアルコール系香料の繊維製品からの揮散を適度に抑制することを見出した。更に（Ｂ）成分はアルコール系香料の親水性が強い場合であっても優れた効果を発揮する。例えばＬｏｇＰが３．０未満のアルコール系香料であっても（Ｂ）成分の有無による残香性の違いは明らかである。
【００３７】
＜（Ｃ）成分＞
本発明における（Ｃ）成分は、アルコール系香料の香料前駆体である。本発明で言う香料前駆体とは、柔軟剤組成物に配合する繊維製品への付着性を高め、水媒体に流れてしまうことを少なくするために、エステル化等で化学修飾されて親油性化或いは高分子化された香料化合物の誘導体や、香料化合物が膜形成性の樹脂によりマイクロカプセル化された香料化合物のカプセル化粒子、又は香料化合物が融点の高い油脂やポリマーと混合され微粒子化された香料化合物包含粒子等をいう。このような香料化合物としては繊維製品の吸湿による加水分解により持続的に芳香できるよう設計されることや香料の調香の関係から、アルコール系香料が使用されるが、本発明の（Ｂ）成分はアルコール系香料の繊維製品からの揮発を抑制することに効果を発揮する。
【００３８】
（Ｃ）成分としては、以下の（Ｃ１）成分、（Ｃ２）成分及び（Ｃ３）成分から選ばれる一種以上が好ましく、本発明の有効性の観点から、乾燥中の香料前駆体の分解や分解後のアルコール系香料化合物の蒸散の問題を生じ易い（Ｃ１）成分及び（Ｃ２）成分から選ばれるエステル系の香料前駆体がより効果的であり好ましい。
（Ｃ１）成分：アルコール系香料化合物のケイ酸エステル化合物
（Ｃ２）成分：アルコール系香料化合物と、炭素数８以上１８以下の脂肪族モノカルボン酸又は炭素数３以上２０以下の脂肪族ジカルボン酸とのエステル化合物。
（Ｃ３）成分：アルコール系香料化合物を含有する香料を内包したマイクロカプセル。
【００３９】
本発明では、ヒドロキシ基を有する香料をアルコール系香料とする。本発明のアルコール系香料化合物にはフェノール構造の香料化合物も含むものとする。またアルコール系香料化合物をアルコール性香料とフェノール性香料とに分けて説明する場合もある。アルコール系香料化合物としては、例えば「香料と調香の基礎知識、中島基貴  編著、産業図書株式会社発行、２００５年４月２０日  第４刷」に記載の香料を用いることができる。
【００４０】
アルコール系香料化合物の具体例は、ゲラニオール、ｃｉｓ−３−ヘキセノール、フォルロージア［４−イソプロピルシクロヘキサノール］、ラズベリーケトン、シンナミックアルコール、ネロール、トランス-2-ヘキセノール、2-エチル-4-(2,2,3-トリメチル-3-シクロペンテン-1-イル)-2-ブテン-1-オール（バクダノール）、2-メチル-4-(2,2,3-トリメチル-3-シクロペンテン-1-イル)-2-ブテン-1-オール（サンダルマイソルコア）、3,7,11-トリメチル-2,6,10-ドデカトリエン-1-オール（ファルネソール）、2-メチル-5-(2,3-ジメチルトリシクロ[2.2.1.02,6]ヘプト-3-イル-2-ペンテン-1-オール（サンタロール）、オイゲノール、イソオイゲノール、4-ヒドロキシ-3-メトキシベンズアルデヒド（バニリン）、3-エトキシ-4-ヒドロキシベンズアルデヒド（エチルバニリン）、チモール、カルバクロール、3-メチル-4-イソプロピルフェノールである。
【００４１】
本発明はアルコール系香料化合物の香料前駆体が分解し繊維製品から過度に揮散する問題を解決するものである。アルコール系香料化合物は、水との親和性に優れる化合物ほど繊維製品の乾燥とともに揮発し易く、繊維製品に残留しにくい問題がある。本発明ではｌｏｇＰが３．０未満の親水性の強い化合物であっても、前記した（Ｂ）成分と併用することで、分解した当該香料化合物が繊維製品から揮散しにくくなることを見出し、更には着用時の発汗の際に芳香し易いことを見出した。
【００４２】
アルコール系香料化合物は、好ましくはｌｏｇＰが１．０以上３．０未満のアルコール系香料化合物であり、より好ましくはｌｏｇＰが１．２以上、更により好ましくは１．５以上、そして、より好ましくは２．９以下、更により好ましくは２．８以下のアルコール系香料化合物である。
【００４３】
本発明において、ｌｏｇＰ値とは、有機化合物の水と１−オクタノールに対する親和性を示す係数である。１−オクタノール／水分配係数Ｐは、１−オクタノールと水の２液相の溶媒に微量の化合物が溶質として溶け込んだときの分配平衡で、それぞれの溶媒中における化合物の平衡濃度の比であり、底１０に対するそれらの対数ｌｏｇＰの形で示すのが一般的である。多くの化合物のｌｏｇＰ値が報告されており、Daylight Chemical Information Systems, Inc. (Daylight CIS)などから入手しうるデータベースには多くの値が掲載されているので参照できる。実測のｌｏｇＰ値がない場合には、Daylight CISから入手できるプログラム“CLOGP"等で計算することができる。このプログラムは、実測のｌｏｇＰ値がある場合にはそれと共に、Hansch, Leoのフラグメントアプローチにより算出される“計算ｌｏｇＰ（ＣｌｏｇＰ）”の値を出力する。
【００４４】
フラグメントアプローチは化合物の化学構造に基づいており、原子の数及び化学結合のタイプを考慮している（cf.A. Leo, Comprehensive Medicinal Chemistry, Vol.4, C. Hansch,P.G. Sammens, J.B.Taylor and C.A. Ramsden, Eds., p.295, Pergamon Press, 1990）。このＣｌｏｇＰ値を、化合物の選択に際して実測のｌｏｇＰ値の代わりに用いる
ことができる。本発明では、ｌｏｇＰの実測値があればそれを、無い場合はプログラムCLOGP v4.01により計算したＣｌｏｇＰ値を用いる。
【００４５】
アルコール系香料化合物として、具体的には、ｌｏｇＰ値が低い、例えば前記範囲にあるアルコール系香料化合物が挙げられ、より具体的には以下のアルコール系香料化合物を挙げることができる。なお（  ）内の数字はｌｏｇＰ値である（以下、同様に示す場合もある）。
アルコール系香料化合物としては、ゲラニオール（２．８）、ｃｉｓ−３−ヘキセノール（１．６）、フォルロージア［４−イソプロピルシクロヘキサノール］（２．７）、ラズベリーケトン（１．１）、及びシンナミックアルコール（１．８）から選ばれるアルコール系香料化合物を含むことが好ましく、更にはゲラニオール（２．８）、ｃｉｓ−３−ヘキセノール（１．６）、フォルロージア［４−イソプロピルシクロヘキサノール］（２．７）、及びシンナミックアルコール（１．８）から選ばれるアルコール系香料化合物を含むことがより好ましい。
【００４６】
以下、（Ｃ１）成分、（Ｃ２）成分、（Ｃ３）成分の香料前駆体について説明する。
（Ｃ１）成分は、前記したアルコール系香料化合物とケイ酸とのエステル化合物である。
（Ｃ１）成分のケイ酸エステル化合物は、下記の（Ｃ１−１）成分又は（Ｃ１−２）成分から選ばれる一種以上の化合物が好ましい。
（Ｃ１−１）成分：下記一般式（３）で表される化合物であって、Ｒ２１、Ｒ２２、Ｒ２３及びＲ２４のうち１個以上４個以下は、アリル位の炭素原子に水酸基を有し、該炭素原子が第１級炭素原子または第２級炭素原子である、香料として用いられるアルコール化合物から水酸基を除いた残基であり、残りが独立に、水素原子又は置換基を有していてもよい炭素数１以上３０以下の炭化水素基（但し、香料として用いられるフェノール化合物からフェノール性水酸基を除いた残基を除く）である化合物。
（Ｃ１−２）成分：下記一般式（３）で表される化合物であって、Ｒ２１、Ｒ２２、Ｒ２３及びＲ２４のうち１個又は２個は、香料として用いられるフェノール化合物からフェノール性水酸基を除いた残基であり、残りが独立に、水素原子及び／又は置換基を有していてもよい炭素数１以上３０以下の炭化水素基（但し、香料として用いられるフェノール化合物からフェノール性水酸基を除いた残基を除く）である化合物。
【００４７】
【化２】
2020023773.tif 000003
【００４８】
ここで、（Ｃ１）成分などの（Ｃ）成分に関して、アルコール系香料化合物は、書籍や文献などの刊行物において香料成分（香料素材）として記載されているアルコール又はフェノール骨格を有する化合物を指すことができる。その他に、当該技術分野に属する者が、経験的に香料素材として使用できることを知っているアルコール又はフェノール骨格を有する化合物を含むことができる。
【００４９】
（Ｃ１）成分としては、一般式（３）中のＲ２１、Ｒ２２、Ｒ２３及びＲ２４が全て同一の基である化合物と、Ｒ２１、Ｒ２２、Ｒ２３及びＲ２４の一部又は全部が異なる基である化合物があり、いずれを使用することもできる。
【００５０】
（Ｃ１−１）成分について説明する。
（Ｃ１−１）成分に関して、アリル位の炭素原子に水酸基を有し、該炭素原子が第１級炭素原子である、香料として用いられるアルコール化合物を、以下、「１級アリルアルコール性香料」という。また、アリル位の炭素原子に水酸基を有し、該炭素原子が第２級炭素原子である、香料として用いられるアルコール化合物を、以下、「２級アリルアルコール性香料」という。「アリルアルコール性香料」という場合、これら「１級アリルアルコール性香料」と「２級アリルアルコール性香料」の両方が含まれる。
【００５１】
従って、ここでいうアリルアルコール性香料は、香料としても用いられるアルコール性香料であって、且つアリル位（allylicposition）に水酸基を有するアルコール化合物を指し、アリル基を有する化合物に限定されない。
【００５２】
（Ｃ１−１）成分を構成するアリルアルコール性香料の具体例としては、１級アリルアルコール性香料として、ゲラニオール、ネロール、シス-3-ヘキセノール、トランス-2-ヘキセノール、3-フェニル-2-プロペン-1-オール（シンナミックアルコール）、2-エチル-4-(2,2,3-トリメチル-3-シクロペンテン-1-イル)-2-ブテン-1-オール（バクダノール）、2-メチル-4-(2,2,3-トリメチル-3-シクロペンテン-1-イル)-2-ブテン-1-オール（サンダルマイソルコア）、3,7,11-トリメチル-2,6,10-ドデカトリエン-1-オール（ファルネソール）、2-メチル-5-(2,3-ジメチルトリシクロ[2.2.1.02,6]ヘプト-3-イル-2-ペンテン-1-オール（サンタロール）が挙げられ、２級のアリルアルコール性香料として、4-メチル-3-デセン-5-オール（ウンデカベルトール）、1-オクテン-3-オールが挙げられる。中でも、繊維表面からの香り立ちを強めるリフティング効果の高い香りとして、ゲラニオール、ネロール、ウンデカベルトール及びサンダルマイソルコアから選ばれる香料化合物が好ましい。
【００５３】
（Ｃ１−１）成分は、一般式（３）中のＲ２１、Ｒ２２、Ｒ２３及びＲ２４として、水素原子又は置換基を有していてもよい炭素数１以上３０以下の炭化水素基（但し、香料として用いられるフェノール化合物からフェノール性水酸基を除いた残基を除く）を有することができる。炭素数１以上３０以下の炭化水素基としては、置換基を有していてもよい炭素数１以上３０以下の脂肪族炭化水素基、置換基を有していてもよい炭素数７以上３０以下のアラルキル基が挙げられる。脂肪族炭化水素基は、飽和脂肪族炭化水素基又は不飽和脂肪族炭化水素基が挙げられる。
【００５４】
なお、前記脂肪族炭化水素基やアラルキル基が有していてもよい置換基としては、途中でエステル結合、アミド結合、エーテル結合などで分断されていてもよい炭素数１以上１０以下のアルキル基、炭素数２以上１０以下のアルケニル基、炭素数１以上１０以下のアルコキシ基、又は炭素数２以上１０以下のアシル基等を挙げることができる。
【００５５】
置換基を有していてもよい炭素数１以上３０以下の炭化水素基としては、香料として用いられるアルコール化合物（以下、「アルコール性香料」という。）から水酸基を除いた残基（以下、「アルコール性香料残基」という。）が好ましい。なお、アルコール性香料残基は、前記のアリルアルコール性香料残基を含む概念であるが、（Ｃ１−１）成分では、一般式（３）の構造を説明するための合理的観点から区別して用いるものとする。
【００５６】
適度な香りの持続性を発揮させる観点から、前記炭化水素基は、炭素数１以上、更に２以上、そして、２０以下、更に１８以下の１級アルコールから水酸基を除いた残基が好ましい。１級アルコールの具体例としてはエタノール、ブタノール等の低級アルコール；ラウリルアルコール、ミリスチルアルコール、パルミチルアルコール、ステアリルアルコール等の高級アルコール；２−エチルヘキサノール、４−ブチルオクタノール等のゲルベアルコールが挙げられる。炭素数１以上２０以下の１級アルコールから水酸基を除いた残基には、アルコール性香料残基も含まれる。
【００５７】
前記したように（Ｃ１−１）成分は、一般式（３）中のＲ２１、Ｒ２２、Ｒ２３及びＲ２４のうち、２個以上、更に３個以上、そして、４個以下、更に４個がアリルアルコール性香料残基であることが好ましい。更には、アリルアルコール性香料は、ゲラニオール、ネロール、ウンデカベルトール及びサンダルマイソルコアから得られるアリルアルコール性香料であることがより好ましい。
【００５８】
（Ｃ１−１）成分としては、以下の組み合わせを挙げることができる。それぞれのグループを混合したものであってもよい。すなわち
（Ｃ１−１−１）成分：一般式（３）で表される化合物であって、Ｒ２１、Ｒ２２、Ｒ２３及びＲ２４のうち１個以上３個以下がアリルアルコール性香料残基、好ましくはゲラニオール、ネロール、ウンデカベルトール及びサンダルマイソルコアから選ばれるアリルアルコール性香料残基であり、残りが独立に、水素原子、置換基を有していてもよい炭素数１以上３０以下の脂肪族炭化水素基、又は置換基を有していてもよい炭素数７以上３０以下のアラルキル基である化合物、
（Ｃ１−１−２）成分：一般式（３）で表される化合物であって、Ｒ２１、Ｒ２２、Ｒ２３及びＲ２４のうち１個以上３個以下がアリルアルコール性香料残基、好ましくはゲラニオール、ネロール、ウンデカベルトール及びサンダルマイソルコアから選ばれるアリルアルコール性香料残基であり、残りが独立に、置換基を有していてもよい炭素数１以上３０以下の飽和若しくは不飽和の脂肪族炭化水素基である化合物、
（Ｃ１−１−３）成分：一般式（３）で表される化合物であって、Ｒ２１、Ｒ２２、Ｒ２３及びＲ２４のうち１個以上３個以下がアリルアルコール性香料残基、好ましくはゲラニオール、ネロール、ウンデカベルトール及びサンダルマイソルコアから選ばれるアリルアルコール性香料残基であり、残りが独立に、炭素数１以上３０以下のアルコール性香料残基（但し、アリルアルコール性香料残基を除く）である化合物、
（Ｃ１−１−４）成分：一般式（３）で表される化合物であって、Ｒ２１、Ｒ２２、Ｒ２３及びＲ２４のうち１個以上３個以下がアリルアルコール性香料残基、好ましくはゲラニオール、ネロール、ウンデカベルトール及びサンダルマイソルコアから選ばれるアリルアルコール性香料残基であり、残りが独立に、炭素数１以上、更に２以上、そして、２０以下、更に１８以下の１級アルコールから水酸基を除いた残基である化合物であり、更に好ましくは、該１級アルコールがエタノール、ブタノール等の低級アルコール；ラウリルアルコール、ミリスチルアルコール、パルミチルアルコール、ステアリルアルコール等の高級アルコール；２−エチルヘキサノール、４−ブチルオクタノール等のゲルベアルコールである化合物、
（Ｃ１−１−５）成分：一般式（３）で表される化合物であって、Ｒ２１、Ｒ２２、Ｒ２３及びＲ２４のうち１個以上２個以下がアリルアルコール性香料残基、好ましくはゲラニオール、ネロール、ウンデカベルトール及びサンダルマイソルコアから選ばれるアリルアルコール性香料残基であり、１個又は２個が独立に、炭素数１以上３０以下のアルコール性香料残基、及び１個又は２個が炭素数１以上２０以下の１級アルコールから選ばれるアルコール性香料残基以外のアルコール性残基から選ばれる化合物であり、更に好ましくは、該１級アルコールがエタノール、ブタノール等の低級アルコール；ラウリルアルコール、ミリスチルアルコール、パルミチルアルコール、ステアリルアルコール等の高級アルコール；２−エチルヘキサノール、４−ブチルオクタノール等のゲルベアルコールである化合物、又は
（Ｃ１−１−６）成分：一般式（３）で表される化合物であって、Ｒ２１、Ｒ２２、Ｒ２３及びＲ２４の全部がアリルアルコール性香料残基、好ましくはゲラニオール、ネロール、ウンデカベルトール及びサンダルマイソルコアから選ばれる１種以上のアリルアルコール性香料残基である化合物、
である。
【００５９】
次に（Ｃ１−２）成分について説明する。
（Ｃ１−２）成分を構成する本発明のフェノール性香料とは、芳香族環の置換基として水酸基を有する芳香族化合物であって、且つ香料として用いられる化合物を指し、フェノール自体を意味するものではない。また文献によっては香料分類のうち、フェノール性香料をアルコール性香料に分類するものもあるが、本発明では相違する香料化合物として扱う。
【００６０】
フェノール性香料の具体例としては、4-(3-オキソブチル)フェノール（ラズベリーケトン）、オイゲノール、イソオイゲノール、4-ヒドロキシ-3-メトキシベンズアルデヒド（バニリン）、3-エトキシ-4-ヒドロキシベンズアルデヒド（エチルバニリン）、チモール、カルバクロール、3-メチル-4-イソプロピルフェノールが挙げられ、中でも、繊維表面に爽やかな甘さのある香りを持続的に付与することができることから、ラズベリーケトン、バニリン及びエチルバニリンから選ばれる香料化合物が好ましい。
【００６１】
なお、フェノール性香料残基について、フェノール性香料からフェノール性水酸基を除いた残基とは、芳香族環に置換している水酸基を除いた残基を指す。
【００６２】
（Ｃ１−２）成分は、一般式（３）中のＲ２１、Ｒ２２、Ｒ２３及びＲ２４として、水素原子又は置換基を有していてもよい炭素数１以上３０以下の炭化水素基（但し、フェノール性香料残基を除く）を有する。炭素数１以上３０以下の炭化水素基としては、置換基を有していてもよい炭素数１以上３０以下の脂肪族炭化水素基、置換基を有していてもよい炭素数７以上３０以下のアラルキル基が挙げられる。脂肪族炭化水素基は、飽和脂肪族炭化水素基又は不飽和脂肪族炭化水素基が挙げられる。
【００６３】
なお、前記脂肪族炭化水素基やアラルキル基が有していてもよい置換基としては、途中でエステル結合、アミド結合、エーテル結合などで分断されていてもよい炭素数１以上１０以下のアルキル基、炭素数２以上１０以下のアルケニル基、炭素数１以上１０以下のアルコキシ基、又は炭素数２以上１０以下のアシル基等を挙げることができる。
【００６４】
炭素数１以上３０以下の炭化水素基としては、アルコール性香料残基が好ましい。なお、（Ｃ１−２）成分においても、アルコール性香料残基は、アリルアルコール性香料残基を含む概念である。
【００６５】
（Ｃ１−２）成分としては、フェノール性香料残基を導入した（Ｃ）成分の水系組成物中における分解を抑制し、該組成物を適用した繊維表面から香料化合物を長期に亘って安定に徐放させる効果を得る観点から、（Ｃ１−２）成分において、Ｒ２１、Ｒ２２、Ｒ２３及びＲ２４のうち２個又は３個がアルコール性香料残基であることが好ましい。更にはフェノール性香料の香りを感知するのに十分な量を放出させるという観点から、２個以上の基が、香料として用いられる１級アルコール化合物から水酸基を除いた残基であることが好ましい。
【００６６】
（Ｃ１−２）成分として好ましい例としては、以下の組み合わせを挙げることができる。それぞれのグループを混合したものであってもよい。
（Ｃ１−２−１）成分：Ｒ２１、Ｒ２２、Ｒ２３及びＲ２４のうち１個がフェノール性香料残基であり、残り３個がアルコール性香料残基である化合物、
（Ｃ１−２−２）成分：Ｒ２１、Ｒ２２、Ｒ２３及びＲ２４のうち２個がフェノール性香料残基であり、残り２個がアルコール性香料残基である化合物、
（Ｃ１−２−３）成分：Ｒ２１、Ｒ２２、Ｒ２３及びＲ２４のうち１個がフェノール性香料残基であり、２個がアルコール性香料残基、残り１個がその他の有機基である化合物
が挙げられる。その他有機基としては、アルコール性香料残基やフェノール性香料残基以外の残基であって、例えば、前記の１級アルコールなどを挙げることができる。
【００６７】
（Ｃ１−２）成分を構成するアルコール性香料としては、水酸基が結合する炭素原子が第１級炭素原子、第２級炭素原子及び第３級炭素原子であることにより分類することができる。なお、（Ｃ１−２）成分においても、以下のアルコール性香料残基から選ばれる基を有することができる。
【００６８】
第１級炭素原子の場合は１級アルコール性香料であり、以下のものが挙げられる。
（Ｃ１−２）成分を構成する１級アルコール性香料である１級の脂肪族アルコールとしては、トランス-2-ヘキセノール、9-デセノール、10-ウンデセノール、シス-3-ヘキセノールが挙げられる。１級アルコール性香料である１級のテルペン型アルコール及びセスキテルペン型アルコールとしては、ゲラニオール、ネロール、シトロネロール、2-イソプロペニル-5-メチル-4-ヘキセン-1-オール、テトラヒドロゲラニオール、ヒドロキシシトロネロール、6,6-ジメチル-ビシクロ[3.1.1]-2-ヘプテン-2-エタノール、3,7,11-トリメチル-2,6,10-ドデカトリエン-1-オール、6-メタノアズレン-3-メタノール、2-メチル-5-(2,3-ジメチルトリシクロ[2.2.1.02,6]ヘプト-3-イル-2-ペンテン-1-オールが挙げられる。１級アルコール性香料である１級の脂環式アルコールとしては、2,4-ジメチル-3-シクロヘキセン-1-メタノール、4-イソプロピルシクロヘキサンメタノール、2-エチル-4-(2,2,3-トリメチル-3-シクロペンテン-1-イル)-2-ブテン-1-オール、2-メチル-4-(2,2,3-トリメチル-3-シクロペンテン-1-イル)-2-ブテン-1-オール、2-メチル-4-(2,2,3-トリメチル-3-シクロペンテン-1-イル)-ブタン-1-オールが挙げられる。１級アルコール性香料である１級の芳香族アルコールとしては、ベンジルアルコール、2-フェニルエチルアルコール、フェノキシエチルアルコール、3-フェニル-2-プロペン-1-オール、3-メチル-5-フェニルペンタノール、3-フェニルプロピルアルコール、2-メチル-4-フェニル-1-ペンタノール、4-メトキシベンジルアルコール、2,2-ジメチル-3-(3-メチルフェニル)プロパノールが挙げられる。また上記以外の（Ｃ１−１）成分で挙げた１級アリルアルコール性香料も含まれる。
【００６９】
また、第２級炭素原子の場合は２級アルコール性香料であり、以下のものが挙げられる。
（Ｃ１−２）成分を構成する２級アルコール性香料の好ましい具体例としては、以下のものが挙げられる。２級の脂肪族アルコールとして、3-オクタノール、1-オクテン-3-オール、4-メチル-3-デセン-5-オールが挙げられる。２級のテルペン型アルコール及びセスキテルペン型アルコールとして、1,7,7-トリメチル-ビシクロ[2.2.1]ヘプタン-2-オール、1-メチル-4-イソプロペニルシクロヘキサン-3-オール、3,7-ジメチル-7-メトキシオクタン-2-オール、ｌ-メントールが挙げられる。２級の脂環式アルコールとして、4-イソプロピルシクロヘキサノール(フォルロージア)、1-(4-イソプロピルシクロヘキシル)-エタノール、p-tert-ブチルシクロヘキサノール、o-tert-ブチルシクロヘキサノール、1-(2-tert-ブチルシクロヘキシルオキシ)-2-ブタノール、3-メチル-5-(2,2,3-トリメチル-3-シクロペンテン-1-イル)-ペンタン-2-オール、3-メチル-5-(2,2,3-トリメチル-3-シクロペンテン-1-イル)-4-ペンテン-2-オール、3,3-ジメチル-5-(2,2,3-トリメチル-3-シクロペンテン-1-イル)-4-ペンテン-2-オール、1-(2,2,6-トリメチルシクロヘキシル)-3-ヘキサノール、α,β,2,2,6-ペンタメチルシクロヘキシルプロパノールが挙げられる。２級の芳香族アルコールとしては、1-フェニルエチルアルコールが挙げられる。また上記以外の（Ｃ１−１）成分で挙げた２級アリルアルコール性香料も含まれる。
【００７０】
また、第３級炭素原子の場合は３級アルコール性香料であり、以下のものが挙げられる。
（Ｃ１−２）成分を構成する３級アルコール性香料の好ましい具体例としては、2-メチル-6-メチレン-7-オクテン-2-オール（ミルセノール）、テルピネオール、リナロール、2,6-ジメチルヘプタノール、2-メチル-3-ブテン-2-オール、アンブリノール、ジヒドロリナロール、テトラヒドロリナロール、トラヒドロムゴール（2,6-ジメチル-2-オクタノールと3,7-ジメチル-4,6-オクタジエン-3-オール）、2,6-ジメチル-7-オクテン-2-オール（ジヒドロミルセノール）、2,6-ジメチル-2-オクタノール（テトラヒドロミルセノール）、オシメノール、3,6-ジメチル-3-オクタノール、エチルリナロール、テルピネオール、ジヒドロテルピネオール、4-ツヤノール、ネロリドール、ビサボロール、パチュリアルコール、3,7,11,15-テトラメチル-1-ヘキサデセン-3-オール（イソフィトール）、ゲラニルリナロール、スクラレオール、α,α-ジメチルフェニルエチルアルコール、p-メチルベンジルジメチルカルビノール、ジメチルフェニルエチルカルビノール、3-メチル-1-フェニル-3-ペンタノール、2-イソブチル-4-メチルテトラヒドロ-2H-ピラン-4-オール（フロロール）等が挙げられる。
【００７１】
また、（Ｃ１−２）成分のようにフェノール性香料の残基を導入したケイ酸エステルの水系組成物中における分解を抑制し、該組成物を適用した繊維表面から香料化合物を長期に亘って安定に徐放させる効果を得る観点から、アルコール性香料としては、炭素数６以上、更に９以上、そして、２０以下、更に１５以下、更に１３以下のものが好ましい。中でも、水酸基が環状炭化水素基を構成する骨格炭素原子に１個の共有結合を介して結合した２級アルコール性香料である、メントール及びフォルロージアから選ばれる２級アルコール性香料が好ましい。従って、（Ｃ１−２）成分は、一般式（２）で表される化合物であって、Ｒ２１、Ｒ２２、Ｒ２３及びＲ２４のうち１個又は２個が、ラズベリーケトン、バニリン及びエチルバニリンから選ばれるフェノール性香料から水酸基を除いた残基であり、残りが独立に、メントール及びフォルロージアから選ばれるアルコール性香料から水酸基を除いた残基である化合物が好ましい。
【００７２】
本発明における（Ｃ２）成分は、アルコール系香料化合物と、炭素数８以上１８以下の脂肪族モノカルボン酸〔以下、「（Ｃ２−１−１）成分」ともいう〕又は炭素数３以上２０以下の脂肪族ジカルボン酸〔以下、「（Ｃ２−１−２）成分」ともいう〕とのエステル化合物である。
アルコール系香料化合物としては、フェノール構造又はヒドロキシ−４−ピロン構造を有する香料〔以下、「（Ｃ２−１）成分」ともいう〕がより好ましい
【００７３】
〔（Ｃ２−１）成分〕
前記（Ｃ２−１）成分は、フェノール構造又はヒドロキシ−４−ピロン構造を有する香料である。
本発明において「香料」とは、匂いを感じさせる物質のことをいい、「フレグランス（ｆｒａｇｒａｎｃｅ）」のことを指す。
フェノール構造又はヒドロキシ−４−ピロン構造を有する香料のｐＫａは、長期に亘って強い香りを発現させる観点から、好ましくは１３以下であり、より好ましくは７以上１２以下、更に好ましくは７．５以上１１．５以下である。
本発明において、ｐＫａとは酸解離定数のことであり、水素イオンが放出される解離反応における平衡定数Ｋａの負の常用対数ｐＫａによって表される。ｐＫａが小さいほど強い酸であることを示す。本発明におけるｐＫａの算出には、インターネット上に構築されている化学構造−物性計算サイトであるＳＰＡＲＣ（ＳＰＡＲＣ  Performs Automated Reasoning In Chemistry、ARChem社、http://www.archemcalc.com/sparc.html）を用いた
。
【００７４】
フェノール構造を有する香料としては、長期に亘って持続的に香料を徐放させる観点から、炭素数が好ましくは７以上、より好ましくは８以上、更に好ましくは９以上であり、そして、好ましくは１４以下、より好ましくは１０以下、更に好ましくは９以下であり、９であるものがより更に好ましい。
具体的には、バニリン（炭素数８、ｐＫａ７．８）、エチルバニリン（炭素数９、ｐＫａ７．８）、ｉｓｏ−オイゲノール（炭素数１０、ｐＫａ９．８）、サリチル酸ベンジル（炭素数１４、ｐＫａ９．８）、サリチル酸シス−３−ヘキセニル（炭素数１３、ｐＫａ９．８）、バニリンＰＧＡ（炭素数１１、ｐＫａ９．８）、サリチル酸シクロヘキシル（炭素数１３、ｐＫａ１０．０）、オイゲノール（炭素数１０、ｐＫａ１０．０）、ジンゲロン（炭素数１１、ｐＫａ１０．０）、バニトロープ（炭素数１１、ｐＫａ１０．０）、ラズベリーケトン（炭素数１０、ｐＫａ１０．１）、サリチル酸メチル（炭素数８、ｐＫａ１０．１）、サリチル酸ヘキシル（炭素数１３、ｐＫａ１０．１）、カルバクロール（炭素数１０、ｐＫａ１０．５）、及びチモール（炭素数１０、ｐＫａ１０．９）が挙げられる。
【００７５】
ヒドロキシ−４−ピロン構造を有する香料としては、炭素数が好ましくは６以上、より好ましくは７以上であり、そして、好ましくは１０以下、より好ましくは７以下であり、７であるものが更に好ましい。炭素数が前記範囲内であると、長期に亘って香料を徐放することができる。
具体的には、マルトール（炭素数６、ｐＫａ１１．２）、エチルマルトール（炭素数７、ｐＫａ１１．３）を挙げることができる。
前記（Ｃ２−１）成分の中でも、保存安定性を向上させることができ、また、徐放性能を向上させる観点から、マルトール、エチルマルトール、バニリン、エチルバニリン、及びラズベリーケトンから選ばれる香料化合物が好ましく、エチルマルトール及びエチルバニリンから選ばれる香料化合物がより好ましい。
これらの香料は、１種を単独で用いてもよく、２種以上を組み合わせて用いてもよい。
【００７６】
〔（Ｃ２−１−１）成分〕
前記（Ｃ２−１−１）成分は、炭素数８以上１８以下の脂肪族モノカルボン酸である。
炭素数が前記範囲内の脂肪族モノカルボン酸を用いることにより、液体柔軟剤組成物中において、（Ｃ）成分のエステル結合部分が水と接触しにくくなり加水分解の進行が抑制され、液体柔軟剤組成物の保存安定性が向上する。それにより、液体柔軟剤組成物中製品の液色の変化を抑制することができる。
脂肪族モノカルボン酸の炭素数は、液体柔軟剤組成物中の保存安定性を向上させる観点から、８以上、好ましくは１０以上、より好ましくは１１以上、更に好ましくは１２以上であり、消費される香料の原子効率及び初期の発香の観点から、１８以下、好ましくは１６以下、より好ましくは１４以下、更に好ましくは１２以下であり、１２であるものがより更に好ましい。
【００７７】
脂肪族モノカルボン酸の具体例としては、エナント酸、カプリル酸、ベラルゴン酸、カプリン酸、ウンデシル酸、ラウリン酸、トリデシル酸、ミリスチン酸、ペンタデシル酸、パルミチン酸、マルガリン酸、ステアリン酸、ジメチルオクタン酸、オクテン酸、デセン酸、ドデセン酸、テトラデセン酸、ヘキサデセン酸、オレイン酸、バクセン酸、リノール酸、及びリノレン酸等の脂肪族モノカルボン酸が挙げられる。
本発明においては、消費される香料の原子効率及び初期の発香の観点から、これらの中でも、ラウリン酸、ミリスチン酸、パルミチン酸、ステアリン酸、及びオレイン酸が好ましく、ラウリン酸、ステアリン酸、及びオレイン酸がより好ましい。
【００７８】
〔（Ｃ２−１−２）成分〕
前記（Ｃ２−１−２）成分は、炭素数３以上２０以下の脂肪族ジカルボン酸である。
炭素数が前記範囲内の脂肪族ジカルボン酸を用いることにより、液体柔軟剤組成物中において、（ｃ）成分のエステル結合部分が水と接触しにくくなり加水分解の進行が抑制され、液体柔軟剤組成物の保存安定性が向上する。それにより、液体柔軟剤組成物中製品の液色の変化を抑制することができる。
脂肪族ジカルボン酸の炭素数は、液体柔軟剤組成物の保存安定性を向上させる観点から、３以上、好ましくは６以上、より好ましくは８以上、更に好ましくは９以上、より更に好ましくは１０以上であり、そして、消費される香料の原子効率及び初期の発香の観点から、２０以下、好ましくは１６以下、より好ましくは１４以下、更に好ましくは１２以下である。
脂肪族ジカルボン酸の具体例としては、マロン酸、コハク酸、グルタル酸、アジピン酸、ピメリン酸、スベリン酸、アゼライン酸、セバシン酸、ドデカン二酸、及びテトラデカン二酸等の脂肪族ジカルボン酸が挙げられる。
本発明においては、消費される香料の原子効率及び初期の発香の観点から、これらの中でも、アジピン酸、スベリン酸、アゼライン酸、セバシン酸、及びドデカン二酸が好ましく、アジピン酸、セバシン酸がより好ましく、及びセバシン酸が更に好ましい。
【００７９】
〔（Ｃ２）成分の製造方法〕
前記（Ｃ２）成分を構成するエステルは、例えば下記（ｉ）〜（iv）の方法で製造することができる。
（ｉ）前記香料と、前記脂肪族モノカルボン酸又は脂肪族ジカルボン酸とを直接エステル化反応させることにより製造する方法
（ii）前記脂肪族モノカルボン酸又は脂肪族ジカルボン酸に対してメタノール等の低級アルコールを反応させたエステルと、前記香料とをエステル交換反応させることにより製造する方法
（iii）前記香料と前記脂肪族モノカルボン酸又は脂肪族ジカルボン酸の酸ハロゲン化物とを反応させることにより製造する方法
（iv）前記香料と前記脂肪族モノカルボン酸又は脂肪族ジカルボン酸の無水物とを反応させることにより製造する方法
これらの中でも、製造効率の観点から、前記香料と前記脂肪族モノカルボン酸又は脂肪族ジカルボン酸の酸ハロゲン化物とを反応させて製造する方法が好ましい。
【００８０】
（酸ハロゲン化物）
前記脂肪族モノカルボン酸又は脂肪族ジカルボン酸の酸ハロゲン化物は、例えば、前記脂肪族モノカルボン酸又は脂肪族ジカルボン酸と、塩化チオニル、三塩化リン、五塩化リン及び三臭化リン等の各種ハロゲン化試薬との反応で得ることができる。
これらの中でも、反応性の観点、試薬の入手容易性の観点から、脂肪族モノカルボン酸又は脂肪族ジカルボン酸と三塩化リンとの反応で得られる酸ハロゲン化物が好ましく、具体的には、脂肪族モノカルボン酸の酸クロリドが好ましい。
【００８１】
（香料の仕込み量）
（Ｃ２）成分を製造する際の前記香料の仕込み量は、反応を速やかに進行させると共に未反応の脂肪族モノカルボン酸又は脂肪族ジカルボン酸の量を低減させる観点から、脂肪族モノカルボン酸又は脂肪族ジカルボン酸の酸ハロゲン化物１モルに対し、好ましくは０．９モル以上、より好ましくは０．９５モル以上、更に好ましくは０．９８モル以上であり、未反応の香料の量を低減させる観点から、好ましくは１．１モル以下、より好ましくは１．０５モル以下、更に好ましくは１．０２モル以下である。
【００８２】
（溶媒）
（Ｃ２）成分の製造に用いる溶媒としては、特に制限はなく、例えば、クロロホルム及びジクロロメタン等のハロゲン化炭化水素、酢酸エチル、及び酢酸イソプロピル等の脂肪族エステル、ベンゼン、トルエン、キシレン及びエチルベンゼン等の芳香族炭化水素、シクロペンタン、シクロヘキサン、メチルシクロヘキサン、デカリン、及びテトラリン等の脂環式炭化水素、ペンタン、ヘキサン、ヘプタン及びオクタン等の脂肪族炭化水素等が挙げられる。
これらの中でも、前記香料、前記脂肪族モノカルボン酸及び前記脂肪族ジカルボン酸の溶解性の観点から、ハロゲン化炭化水素、脂肪族エステル、及び芳香族炭化水素から選ばれる１種以上が好ましく、ジクロロメタン、酢酸エチル、及びトルエンから選ばれる１種以上がより好ましい。これらの溶媒は、１種を単独で用いてもよく、２種以上を組み合わせて用いてもよい。
【００８３】
（反応温度）
（Ｃ２）成分を製造する際の反応温度は、原料をロスすることなく反応を行う観点から、香料、脂肪族モノカルボン酸又は脂肪族ジカルボン酸の沸点以下が好ましい。具体的な反応温度は、反応速度を向上させる観点から、好ましくは−２０℃以上、より好ましくは−１８℃以上、更に好ましくは−１５℃以上、より更に好ましくは−１２℃以上である。また、反応を制御する観点から、好ましくは５０℃以下、より好ましくは４０℃以下、更に好ましくは３０℃以下、より更に好ましくは２０℃以下である。
本発明においては、前記温度範囲で反応を行った後、十分に反応を進行させる観点から、所定の温度、時間で撹拌を行うことが好ましい。撹拌する際の温度は、好ましくは１０℃以上、より好ましくは１５℃以上、更に好ましくは２０℃以上であり、そして、好ましくは９０℃以下、より好ましくは８０℃以下、更に好ましくは７０℃以下、より更に好ましくは６０℃以下、より更に好ましく５０℃以下である。
撹拌は、好ましくは０．５時間以上、より好ましくは０．８時間以上であり、そして、好ましくは４時間以下、より好ましくは３時間以下、更に好ましくは１．５時間以下行う。
【００８４】
（反応圧力）
（Ｃ２）成分の製造は、大気圧又は減圧下で行うことができ、簡易な設備で製造することができる観点から、大気圧下で製造することが好ましい。
（Ｃ２）成分を製造する際の具体的な圧力は、好ましくは８０ｋＰａ以上、より好ましくは９０ｋＰａ以上、更に好ましくは９５ｋＰａ以上であり、そして、好ましくは１０１ｋＰａ以下である。
また、（Ｃ２）成分の製造は、副反応を抑制する観点、反応系中に水が混入するのを抑制する観点から、不活性ガスの存在下で行うことが好ましい。不活性ガスとしては、窒素、ヘリウム、アルゴン等が挙げられ、これらの中でも、コストを抑えて製造する観点から、窒素が好ましい。
【００８５】
（塩基性物質）
前記（Ｃ２）成分の製造方法においては、反応を効率的に行う観点から、塩基性物質を用いることが好ましい。
前記塩基性物質としては、トリエチルアミン、及びトリブチルアミン等の脂肪族アミン、ピリジン、及びピコリン等の芳香族アミンや、ＤＢＵ（ジアザビシクロウンデセン）を挙げることができる。これらの中でも、入手容易性の観点、取り扱い性の観点から、脂肪族アミンが好ましく、トリエチルアミンがより好ましい。
前記塩基性化合物の使用量は、脂肪族モノカルボン酸又は脂肪族ジカルボン酸の酸ハロゲン化物１モルに対して、好ましくは１モル以上、より好ましくは１．０１モル以上、更に好ましくは１．０２モル以上、更に好ましくは１．０４モル以上であり、そして、使用量とコストのバランスから、好ましくは１．２モル以下、より好ましくは１．１５モル以下、更に好ましくは１．１モル以下、より更に好ましくは１．０６モル以下である。
【００８６】
本発明における（Ｃ３）成分は、アルコール系香料化合物を含有する香料を内包したマイクロカプセルである。
本発明に用いるマイクロカプセルは、所定の香料と任意の香料希釈剤又は溶剤とをカプセル化したものである。例えば、マイクロカプセルの外殻（壁材）に樹脂を用い、公知の方法により香料を封入することにより得ることができる。
【００８７】
本発明に用いるマイクロカプセルの調製法は特に制限されず、公知のマイクロカプセル化方法を採用することができる。具体的には化学的製法（界面重合法、in situ重合法、
オリフィス法）、物理化学的方法（コアセルベーション法）、機械的・物理的方法（気中懸濁被覆法、噴霧乾燥法、高速気流中衝撃法）等が挙げられる。
本発明に用いるマイクロカプセルの外殻を構成する材料としては、ポリウレタン、ポリアミド、メラミン樹脂、尿素樹脂、アルギン酸塩、ポリアクリル樹脂、ゼラチン、アラビアゴム、及びデンプン等の各種高分子化合物が挙げられる。これらの中でも、ポリウレタン、ポリアミド、メラミン樹脂、尿素樹脂、アルギン酸塩、ポリアクリル樹脂、ゼラチン及びアラビアゴムから選ばれる１種以上が好ましい。
【００８８】
本発明に用いるマイクロカプセルの製造方法についてより具体的には、「造る＋使うマイクロカプセル」（小石眞純ら、工業調査会、２００５年発行）や、特開２００８−６３５７５号公報、特開２００６−２４９３２６号公報、特開平１１−２１６３５４号公報、及び特開平５−２２２６７２号公報等に記載されている方法を採用することができる。
【００８９】
（Ｃ３）成分のマイクロカプセルの好ましい製造方法としては、エチレン−無水マレイン酸共重合体等の乳化剤と香料及び任意の希釈剤又は溶剤を水中に分散させて乳化物を得た後、この乳化物にメラミン−ホルムアルデヒド樹脂等の壁材を添加して撹拌することによりマイクロカプセルのスラリーを得る方法が挙げられる。
予め、壁材を形成する樹脂となるモノマーと、イソブチレン−無水マレイン酸共重合体、アクリル酸−アクリルアミド共重合等の乳化剤とを水中で混合して、壁材・乳化剤混合物を調製した後、この壁材・乳化剤混合物と香料及び任意の希釈剤又は溶剤とを乳化し、この乳化物にホルムアルデヒドを添加して撹拌することによりマイクロカプセルのスラリーを得る方法等が挙げられる。
【００９０】
（Ｃ３）成分のマイクロカプセルに包含される香料〔以下、「香料（Ｃ３）成分」ともいう〕は、好ましくはｌｏｇＰ値が２．０以上６．０以下である香料化合物〔以下、「香料化合物（Ｃ３−１）成分」ともいう〕を９０質量％以上含有する。香料（Ｃ３）成分は、通常、香料化合物（Ｃ３−１）成分を含む複数の香料化合物を含有する組成物である。香料（Ｃ３）成分は、香料化合物（Ｃ３−１）成分を、９５質量％以上含有することが好ましい。また、香料化合物（Ｃ３−１）成分のｌｏｇＰ値は、カプセルの製造容易の観点から、２．０以上、好ましくは２．３以上、より好ましくは２．５以上であり、そして、６．０以下、好ましくは５．５以下、より好ましくは５．０以下である。
【００９１】
このうちマイクロカプセルに包含される香料（Ｃ３）成分中のアルコール系香料としては、サリチル酸アミル（４．６）、サリチル酸ヘキシル（５．１）、サリチル酸ベンジル（４．２）、サリチル酸シクロヘキシル（４．５）、サリチル酸シス−３−ヘキセニル（４．６）、テトラヒドロリナロール（３．５）、ターピネオール（２．６）、ゲラニオール（２．８）、シトロネロール（３．３）、リナロール（２．６）、テトラヒドロリナロール（３．５）、オイゲノール（３．０）、ジヒドロミルセノール（３．０）、フェニルヘキサノール（３．５）が挙げられる。またｌｏｇＰ値が２．０未満のアルコール系香料を配合してもよい。具体的にはイソ−アミルアルコール（１．３）、フェニルエチルアルコール（１．６）、ｃｉｓ−３−ヘキセノール（１．６）、シンナミックアルコール（１．８）が挙げられる。
【００９２】
アルコール系香料以外の香料化合物（Ｃ３−１）成分としては、オクタナール（３．０）、ノナナール（３．０）、デカナール（４．０）、リラール（２．２）、リリアール（３．９）、ヘキシルシンナミックアルデヒド（４．９）、アミルシンナミックアルデヒド（４．３）、ｐ，ｔ−ブチルヒドロシンナミックアルデヒド（３．６）、ジメチルテトラヒドロベンズアルデヒド（２．９）、酢酸ヘキシル（４．９）、酢酸トリシクロデセニル（２．４）、酢酸シトロネリル（４．２）、酢酸ゲラニル（３．７）、酢酸リナリル（３．５）、酢酸ターピニル（３．６）、酢酸ｏ，ｔ−ブチルシクロヘキシル（４．１）、酢酸ｐ，ｔ−ブチルシクロヘキシル（４．１）、プロピオン酸アリルシクロヘキシル（２．９）、プロピオン酸トリシクロデセニル（３．９）、カプロン酸アリル（３．２）、ジヒドロジャスモン酸メチル（２．４）、α−イオノン（３．７）、β−イオノン（３．７）、γ−メチルイオノン（４．０）、α−ダマスコン（３．６）、β−ダマスコン（３．６）、δ−ダマスコン（３．６）、γ−ノナラクトン（２．８）、γ−デカラクトン（３．３）、γ−ウンデカラクトン（３．８）、ネロリンヤラヤラ（３．２）、シクラメンアルデヒド（３．５）、リモネン（４．４）、メチルアンスラニレート（２．０）、メチルβ−ナフチルケトン、（２．８）、イソＥスーパー（４．７）、セドリルメチルエーテル（５．１）、アンブロキサン（５．３）、１，８−シネオール（２．９）、ゲラニルニトリル（３．９）、シトロネリルニトリル（４．４）、１１−オキサ−１６−ヘキサデカノリド（ムスクＲ−１、ジボダン製）（４．５）、エチレンブラシレート（４．６）、エチレンドデカンジオエート（４．１）、カシュメラン（４．０）から選ばれる１種以上の香料化合物が挙げられる。
また、ｌｏｇＰ値が６．０よりも高い香料として、シクロペンタデカノリド（６．３）、シクロヘキサデカノリド（６．８）、アンブレットリド（６．４）もカプセルに内包する香料として好ましい。ここで、（  ）内の数字はｌｏｇＰ値である。
【００９３】
なお（Ｃ３）成分のマイクロカプセルは、香料（Ｃ３）成分の他に、希釈剤、溶剤、及び固化剤から選ばれる１種以上を内包してもよい。
希釈剤ないし溶剤としては、エチレングリコール、プロピレングリコール、ジプロピレングリコール、及びグリセリンを挙げることができ、脂肪アルコール、脂肪酸、脂肪酸の低級アルコールエステル、及び脂肪酸のグリセリンエステルを挙げることもできる。
【００９４】
（Ｃ３）成分のマイクロカプセルの１次平均粒径は、好ましくは１μｍ以上であり、そして、好ましくは１００μｍ以下、より好ましくは５０μｍ以下、更に好ましくは２０μｍ以下である。本発明のマイクロカプセルの平均粒径は、株式会社堀場製作所製レーザー回折／散乱式粒度分布測定装置ＬＡ−９１０によって求められたメジアン径である。なお、（Ｃ３）成分は、保存安定性を損なわない程度に一部凝集していてもよい。
【００９５】
＜（Ａ）成分、（Ｂ）成分、及び（Ｃ）成分の含有量＞
本発明の液体柔軟剤組成物において、（Ａ）成分の含有量は、十分な柔軟効果を得る観点から、好ましくは５質量％以上、より好ましくは６質量％以上、更により好ましくは８質量％以上であり、そして、保存安定性の観点から、好ましくは２０質量％以下、より好ましくは１８質量％以下、更により好ましくは１６質量％以下、より更に好ましくは１４質量％以下である。
【００９６】
また、本発明の液体柔軟剤組成物において、（Ｂ）成分の含有量は、（Ｃ）成分由来のアルコール系香料化合物の繊維製品からの揮散を抑制する観点から、好ましくは０．１質量％以上、より好ましくは０．５質量％以上、更により好ましくは１質量％以上であり、そして、好ましくは３質量％以下、より好ましくは２．５質量％以下、より好ましくは２質量％以下である。
【００９７】
また、本発明の液体柔軟剤組成物において、（Ｃ）成分のアルコール系香料前駆体の含有量は、好ましくは０．００１質量％以上、より好ましくは０．００５質量％以上、更に好ましくは０．０１質量％以上であり、そして、好ましくは１．０質量％以下、より好ましくは０．８質量％以下、更に好ましくは０．７質量％以下である。
【００９８】
また、本発明の液体柔軟剤組成物が（Ｃ１）成分を含有する場合、該組成物中の（Ｃ１）成分の含有量は、香りの持続性を向上させる観点から、好ましくは０．００１質量％以上、より好ましくは０．００５質量％以上、更に好ましくは０．０１質量％以上であり、そして、好ましくは１．０質量％以下、より好ましくは０．８質量％以下、更に好ましくは０．７質量％以下である。
【００９９】
また、本発明の液体柔軟剤組成物が（Ｃ２）成分を含有する場合、該組成物中の（Ｃ２）成分の含有量は、香りの持続性を向上させる観点から、好ましくは０．００１質量％以上、より好ましくは０．００５質量％以上、更に好ましくは０．０１質量％以上であり、そして、好ましくは１．０質量％以下、より好ましくは０．８質量％以下、更に好ましくは０．７質量％以下である。
【０１００】
また、本発明の液体柔軟剤組成物が（Ｃ３）成分を含有する場合、該組成物中の（Ｃ３）成分の含有量は、好ましくは０．０１質量％以上、より好ましくは０．０５質量％以上、更に好ましくは０．１質量％以上であり、そして、保存安定性の観点から、好ましくは０．５質量％以下、より好ましくは０．４質量％以下、更に好ましくは０．３質量％以下である。本発明の液体柔軟剤組成物が、（Ｃ３）成分を含有する場合、（Ｃ３）成分の割合は、（Ｃ）成分中、５質量％以上、更に１０質量％以上であることが好ましい。
【０１０１】
（Ｃ３）成分は、（Ｃ３）成分の質量に対する内包する香料の質量の比、すなわち、［内包する香料の質量／（Ｃ３）成分の質量］の質量比が、好ましくは０．６以上、より好ましくは０．７以上である。
【０１０２】
また、（Ｃ１）成分及び（Ｃ２）成分の少なくとも１種と（Ｃ３）成分とを併用する場合、（Ｃ１）成分及び（Ｃ２）成分の合計の質量に対する（Ｃ３）成分の質量の比［（Ｃ３）成分／［（Ｃ１）成分＋（Ｃ２）成分］は、繊維製品の初期の強い匂い立ちを抑制する観点から、好ましくは０．０１以上、より好ましくは０．０５以上、更により好ましくは０．１以上であり、バランスのとれた香調を得る観点から、好ましくは５００以下、より好ましくは１００以下、更に好ましくは５０以下、より更に好ましくは２０以下、より更に好ましくは１０以下である。
【０１０３】
本発明の液体柔軟剤組成物は水を含有する。水は、脱イオン水、脱イオン水に次亜塩素酸塩を少量配合した滅菌した水、水道水等を用いることができる。
【０１０４】
＜液体柔軟剤組成物の３０℃におけるｐＨ＞
本発明の液体柔軟剤組成物の３０℃におけるｐＨは、２．５以上４．０以下であり、液体柔軟剤組成物による処理後の繊維製品の発香性及び残香性の観点、及び保存安定性の観点から、好ましくは２．５以上、より好ましくは２．８以上、更に好ましくは３．０以上、そして、好ましくは３．５以下である。
【０１０５】
組成物のｐＨは、「ＪＩＳ  Ｋ  ３３６２；２００８の項目８．３に従って３０℃において測定する。ｐＨの調整は、アルカリ剤や後述する酸剤等のｐＨ調整剤により調整することができる。
【０１０６】
＜その他の成分＞
本発明の液体柔軟剤組成物は、更に以下に示す成分を含有することが好ましい。
＜（Ｄ）成分：（Ｃ）成分以外の香料＞
本発明の液体柔軟剤組成物は、（Ｄ）成分として、（Ｃ）成分以外の香料を含有してもよい。
なお、本発明において、（Ｃ）成分以外の香料とは、（Ｃ）成分の香料前駆体として包含又は結合を形成している香料以外の香料を意味する。
したがって、本発明においては、アルコール系香料化合物であっても、例えば（Ｃ３）成分のようなマイクロカプセルに内包されていない香料は（Ｄ）成分として扱う。また、（Ｃ１）成分又は（Ｃ２）成分の原料として用いた香料と同じ香料であっても、香料前駆体として結合を形成していない香料は（Ｄ）成分として扱う。つまり、（Ｄ）成分の香料は液体柔軟剤組成物中に分散させた香料であり、これらの香料を外香料という場合がある。
【０１０７】
（Ｄ）成分として用いることができる香料に特に制限はなく、（Ｃ）成分から放出される香料と同じ香料を用いてもよい。
（Ｄ）成分として用いることができる香料としては、例えば「香料と調香の基礎知識、中島基貴  編著、産業図書株式会社発行、２００５年４月２０日  第４刷」に記載の香料や特許文献等を通じて柔軟剤に配合することが知られている香料の他に、香料メーカーが独自に調製した香料成分又は調香した香料組成物そのものを使用することができる。
例えば、β−イオノン（３．７）、γ−ウンデカラクトン（３．８）、γ−ノナラクトン（２．８）、γ−メチルイオノン（４．０）、アンブロキサン（５．３）、イソＥスーパー（４．７）、エチルバニリン（１．８）、エチレンブラッシレート（４．６）、オイゲノール（３．０）、カシュメラン（ＩＦＦ社製）（４．０）、クマリン（１．５）、ゲラニオール（２．８）、酢酸ｏ，ｔ−ブチルシクロヘキシル（４．１）、酢酸シトロネリル（４．２）、酢酸ジメチルベンジルカルビニル（２．８）、サンダルマイソルコア（３．９）、ジヒドロジャスモン酸メチル（２．４）、ジヒドロミルセノール（３．０）、ジメチルテトラヒドロベンズアルデヒド（２．９）、ジャバノール（ジボダン製）（４．７）、ネロリンヤラヤラ（３．２）、ハバノライド（フィルメニッヒ製）（６．２）、フルーテート（花王株式会社）（３．４）、ペオニル（ジボダン製）（４．０）、ヘキシルシンナミックアルデヒド（４．９）、ヘリオトロピン（１．１）、メチルβ−ナフチルケトン（２．８）、メチルアンスラニレート（２．０）、ラズベリーケトン（１．１）、リモネン（４．４）、及びリリアール（３．９）を挙げることができる。なお（  ）内の数値はｌｏｇＰ値である。
【０１０８】
なお、本発明の液体柔軟剤組成物は、香料の希釈剤や保留剤を含有してもよい。希釈剤及び保留剤としては、ジプロピレングリコール、パルミチン酸イソプロピルエステル、ジエチルフタレート、ペンジルベンゾエート、流動パラフィン、イソパラフィン、及び油脂等を挙げることができる。
希釈剤及び保留剤を用いる場合、（Ｄ）成分と希釈剤及び保留剤との合計に対する希釈剤及び保留剤の量は、好ましくは０質量％以上２０質量％以下である。なお、これら希釈剤及び保留剤は（Ｃ）成分のマイクロカプセルに内包された香料にも用いることができる。
【０１０９】
（Ｄ）成分は、（Ｃ）成分と併用することで、従来よりも自由度の高い香料設計が可能となる。したがって（Ｄ）成分を併用した本発明の液体柔軟剤組成物を繊維製品に処理を施した場合、例えば、フレッシュ且つリッチな香りを付与することができる。
【０１１０】
本発明の液体柔軟剤組成物が（Ｄ）成分を含有する場合、その含有量は、組成物中、好ましくは０．１質量％以上、より好ましくは０．３質量％以上、更に好ましくは０．５質量％以上であり、保存安定性及び他の香料添加剤とのバランスの観点から、好ましくは２．５質量％以下、より好ましくは２．０質量％以下、更により好ましくは１．８質量％以下である。なお、液体柔軟剤組成物中の（Ｄ）成分は、製品に合わせてその含有量を調整することができる。
【０１１１】
また、本発明の液体柔軟剤組成物が（Ｄ）成分を含有する場合において、（Ｃ）成分及び（Ｄ）成分の合計の含有量は、繊維製品に対して十分に賦香する観点から、好ましくは０．１質量％以上、より好ましくは０．３質量％以上、更に好ましくは０．５質量％以上であり、保存安定性及び他の香料添加剤とのバランスの観点から、好ましくは２．８質量％以下、より好ましくは２．５質量％以下、更に好ましくは２．０質量％以下である。
なお、前記合計の含有量における（Ｃ）成分の質量は、（Ｃ）成分の香料前駆体を構成する香料化合物の質量にて計算する。
【０１１２】
本発明における（Ｃ）成分、及び（Ｄ）成分の好ましい組み合わせとしては、ｌｏｇＰ値２．０以上６．０以下の香料化合物を９０質量％以上含有する香料を内包するマイクロカプセルである（Ｃ３）成分を用い、液体柔軟剤組成物中の香料前駆体〔（Ｃ２）及び（Ｃ３）の少なくともいずれか〕の含有量を０．００１質量％以上１．０質量％以下とし、更に（Ｃ）成分及び（Ｄ）成分が前記濃度の関係を満たすことが好ましい。
【０１１３】
＜（Ｅ）成分：非イオン性界面活性剤＞
本発明の液体柔軟剤組成物は、（Ｅ）成分として、非イオン性界面活性剤を含有してもよい。ただし、後述する（Ｆ）成分は（Ｅ）成分から除くものとする。
【０１１４】
（Ｅ）成分としては、炭素数８以上２０以下のアルキル基又はアルケニル基とオキシアルキレン基とを有する非イオン性界面活性剤が好ましく、下記一般式（Ｅ１）で表される非イオン性界面活性剤がより好ましい。
Ｒ１ｅ−Ａ−〔（Ｒ２ｅＯ）ｘ−Ｒ３ｅ〕ｙ      （Ｅ１）
〔式中、Ｒ１ｅは、炭素数８以上、好ましくは１０以上、そして、１８以下、好ましくは１６以下のアルキル基又はアルケニル基であり、Ｒ２ｅは、炭素数２又は３のアルキレン基、好ましくはエチレン基であり、Ｒ３ｅは、炭素数１以上３以下のアルキル基又は水素原子であり、ｘは２以上、好ましくは５以上、より好ましくは１０以上、そして、１００以下、好ましくは８０以下、より好ましくは６０以下の数であり、Ａは−Ｏ−、−ＣＯＯ−、−ＣＯＮ＜又は−Ｎ＜であり、Ａが−Ｏ−又は−ＣＯＯ−の場合ｙは１であり、Ａが−ＣＯＮ＜又は−Ｎ＜の場合ｙは２である。〕
【０１１５】
一般式（Ｅ１）の化合物の具体例としては、以下の式（Ｅ１−１）〜（Ｅ１−３）で表される化合物を挙げることができる。
Ｒ１ｅ−Ｏ−（Ｃ２Ｈ４Ｏ）ｋ−Ｈ    （Ｅ１−１）
〔式中、Ｒ１ｅは前記Ｒ１ｅと同義である。ｋは８以上、好ましくは１０以上、そして、１００以下、好ましくは６０以下の数である。〕
Ｒ１ｅ−Ｏ−［（Ｃ２Ｈ４Ｏ）ｓ（Ｃ３Ｈ６Ｏ）ｔ］−Ｈ    （Ｅ１−２）
〔式中、Ｒ１ｅは前記Ｒ１ｅと同義である。ｓ及びｔはそれぞれ独立に２以上、好ましくは５以上であり、そして、４０以下の数であり、（Ｃ２Ｈ４Ｏ）と（Ｃ３Ｈ６Ｏ）はランダム又はブロック付加体であってもよい。（Ｃ２Ｈ４Ｏ）と（Ｃ３Ｈ６Ｏ）の結合順序を問わない。〕
【０１１６】
【化３】
2020023773.tif 000004
【０１１７】
（式中、Ｒ１ｅ及びＲ３ｅは前記の意味を示す。Ａは  −Ｎ＜  又は  −ＣＯＮ＜  であり、ｕ及びｖはそれぞれ独立に０以上４０以下の数であり、ｕ＋ｖは５以上６０以下、好ましくは４０以下の数である。）
【０１１８】
本発明では、（Ｅ）成分として、一般式（Ｅ１−１）で表される非イオン性界面活性剤を用いることが好ましい。
（Ｅ）成分は、液体柔軟剤組成物の粘度を低下させることができることから、液体柔軟剤組成物の各成分の混合から充填までの製造を容易にすることができ、更に、液体柔軟剤組成物中における（Ｃ）成分の安定性を向上させることができる。
【０１１９】
本発明の液体柔軟剤組成物が（Ｅ）成分を含有する場合、その含有量は、組成物中、好ましくは０．５質量％以上、より好ましくは１．０質量％以上であり、そして、長期保存後の増粘を抑制する観点から、好ましくは８質量％以下、より好ましくは５質量％以下である。
【０１２０】
＜（Ｆ）成分：多価アルコールと脂肪酸とのエステル＞
本発明の液体柔軟剤組成物は、保存安定性を改善する観点から（Ｆ）成分として、多価アルコールと脂肪酸とのエステルを含有してもよい。
多価アルコールと脂肪酸とのエステルとしては、炭素数３以上６以下であり、かつ３価以上６価以下の多価アルコールと、炭素数１２以上２２以下の脂肪酸とのエステル化合物が好ましい。
より具体的には、炭素数が好ましくは３以上、より好ましくは４以上であり、そして、好ましくは６以下であり、かつ、好ましくは３価以上、より好ましくは４価以上であり、そして、好ましくは６価以下である多価アルコールと、炭素数が好ましくは１２以上、より好ましくは１４以上、更に好ましくは１６以上であり、そして、好ましくは２２以下、より好ましくは２０以下の脂肪酸とのエステル化合物である。
（Ｆ）成分を構成する多価アルコールとしては、グリセリン、トリメチロールエタン、トリメチロールプロパン、１，３，５−ペンタトリオール、エリスリトール、アラビトール、ペンタエリスリトール、ソルビタン、ソルビトール、キシリトール及びマンニトールから選ばれる１種以上が好ましく、ペンタエリスリトール及びソルビタンから選ばれる１種以上がより好ましい。
（Ｆ）成分を構成する脂肪酸としては、ラウリン酸、ミリスチン酸、ステアリン酸、及びパルミチン酸等の飽和脂肪酸、オレイン酸、エライジン酸、リノール酸、及びリノレン酸等の不飽和脂肪酸、パーム油脂肪酸、及び硬化パーム油脂肪酸の植物油由来の脂肪酸、牛脂脂肪酸及び硬化牛脂脂肪酸等の動物油由来の脂肪酸から選ばれる１種以上が好ましく、飽和脂肪酸、植物油由来の脂肪酸、及び動物油由来の脂肪酸から選ばれる１種以上がより好ましく、ステアリン酸、硬化パーム油脂肪酸、及び硬化牛脂脂肪酸から選ばれる１種以上が更に好ましい。
本発明における（Ｆ）成分としては、ペンタエリスリトールと炭素数１６以上２２以下の脂肪酸とのエステル化合物（以下、「ペンタエリスリトール脂肪酸エステル」ともいう）、及びソルビタンと炭素数１６以上２２以下の脂肪酸とのエステル化合物（以下、「ソルビタン脂肪酸エステル」ともいう）から選ばれる１種以上が好ましい。
【０１２１】
本発明の液体柔軟剤組成物が（Ｆ）成分を含有する場合、その含有量は、組成物中、好ましくは０．１質量％以上、より好ましくは０．３質量％以上、更に好ましくは０．５質量％以上、より更に好ましくは０．７質量％以上であり、そして、好ましくは５．０質量％以下、より好ましくは４質量％以下、更に好ましくは３質量％以下である。
【０１２２】
＜（Ｇ）成分：（Ａ）成分及び（Ｂ）成分以外の陽イオン性界面活性剤、並びに両性界面活性剤から選ばれる界面活性剤＞
本発明の液体柔軟剤組成物は、（Ｇ）成分として、（Ａ）成分及び（Ｂ）成分以外の陽イオン性界面活性剤、並びに両性界面活性剤から選ばれる界面活性剤を含有することができる。
〔（ｇ１）成分：（Ａ）成分及び（Ｂ）成分以外の陽イオン性界面活性剤〕
本発明においては、液体柔軟剤組成物の保存安定性を向上させる観点から、（ｇ１）成分として、（Ａ）成分及び（Ｂ）成分以外の陽イオン性界面活性剤を用いることができる。
（ｇ１）成分の具体例としては、窒素原子に結合する基のうち、１つ又は２つが炭素数１０以上２２以下のアルキル基又はアルケニル基であり、残りがヒドロキシ基を有していてもよい炭素数１以上４以下のアルキル基、ベンジル基、好ましくはメチル基である第３級アミン化合物及びその酸塩、並びに前記第３級アミン化合物の４級化物が挙げられる。これらの中でも、液体柔軟剤組成物に殺菌効果を付与する観点から、炭素数１０以上２２以下のアルキル基又はアルケニル基を１つ有し、ベンジル基を１つ有する陽イオン性界面活性剤が好ましい。
前記化合物の４級化に用いるアルキル化剤としては、（Ａ）成分において記載した化合物を用いることができる。
【０１２３】
（ｇ１）成分としては、下記（Ｉ）〜（III）から選ばれる１種以上の陽イオン性界面
活性剤が好ましく、更に（II）から選ばれる陽イオン性界面活性剤が好ましい。
（Ｉ）アルキル基又はアルケニル基の炭素数が１０以上２２以下のジ長鎖アルキル又はアルケニルジメチルアンモニウム塩、
（II）アルキル基又はアルケニル基の炭素数が１０以上２２以下のモノ長鎖アルキル又はアルケニルトリメチルアンモニウム塩、又は
（III）アルキル基又はアルケニル基の炭素数が１０以上２２以下のモノ長鎖アルキルジ
メチルベンジルアンモニウム塩
具体的には塩化ジデシルジメチルアンモニウム塩、塩化ラウリルトリメチルアンモニウム塩、塩化ミリスチルトリメチルアンモニウム塩、及び塩化ラウリルジメチルベンジルアンモニウム塩を挙げることができる。
【０１２４】
〔（ｇ２）成分：両性界面活性剤〕
本発明においては、（ｇ２）成分として、両性界面活性剤を用いることもできる。
（ｇ２）成分としては、一般的に液体柔軟剤組成物に配合することができるものであれば特に制限はなく、例えば、アルキル（炭素数１２以上２２以下）アミドプロピルカルボベタイン、アルキル（炭素数１２以上２２以下）アミドプロピルスルホベタイン、アルキル（炭素数１２以上２２以下）カルボベタイン、アルキル（炭素数１２以上２２以下）スルホベタイン、アルキル（炭素数１０以上１８以下）ジメチルアミンオキシド等が挙げられる。
【０１２５】
本発明の液体柔軟剤組成物が（Ｇ）成分を含有する場合、その含有量は、液体柔軟剤組成物の粘度を低下させる観点、及び殺菌性を向上させる観点から、組成物中、好ましくは０．０１質量％以上、より好ましくは０．０５質量％以上、更に好ましくは０．１質量％以上であり、そして、保存安定性や柔軟効果の低下を抑制する観点から、好ましくは２．０質量％以下、より好ましくは１．５質量％以下、更に好ましくは１．０質量％以下である。
【０１２６】
＜（Ｈ）成分：無機塩＞
本発明の液体柔軟剤組成物は、保存安定性を向上させる観点から（Ｈ）成分として、無機塩を含有することができる。
無機塩としては、保存安定性を向上させる観点から、塩化ナトリウム、塩化カルシウム、及び塩化マグネシウムから選ばれる１種以上が好ましい。
本発明の液体柔軟剤組成物が（Ｈ）成分を含有する場合、その含有量は、液体柔軟剤組成物の分散性を向上させる観点から、組成物中、好ましくは０．０１質量％以上、より好ましくは０．０３質量％以上、更に好ましくは０．０５質量％以上であり、そして、液体柔軟剤組成物の保存安定性を向上する観点から、好ましくは２．０質量％以下、より好ましくは１．０質量％以下である。
【０１２７】
＜（Ｉ）成分：シリコーン化合物＞
本発明の液体柔軟剤組成物は、（Ｉ）成分として、水不溶性のシリコーン化合物を含有してもよい。本明細書における（Ｉ）成分の「水不溶性」とは、２０℃のイオン交換水１Ｌに溶解するシリコーン化合物の量が１ｇ以下であることをいう。
（Ｉ）成分の具体例としては、ジメチルポリシロキサン、４級アンモニウム変性ジメチルポリシロキサン、アミノ変性ジメチルポリシロキサン、アミド変性ジメチルポリシロキサン、エポキシ変性ジメチルポリシロキサン、カルボキシ変性ジメチルポリシロキサン、ポリオキシアルキレン変性ジメチルポリシロキサン、及びフッ素変性ジメチルポリシロキサン等のシリコーン化合物が挙げられる。
【０１２８】
（Ｉ）成分としては、重量平均分子量が好ましくは１千以上、より好ましくは３千以上、更に好ましくは５千以上であり、そして、好ましくは１００万以下であり、２５℃における粘度が好ましくは２ｍｍ２／ｓ以上、より好ましくは５００ｍｍ２／ｓ以上、更に好ましくは１千ｍｍ２／ｓ以上であり、そして、好ましくは１００万ｍｍ２／ｓ以下である、ジメチルポリシロキサン、アミノ変性ジメチルポリシロキサン、アミド変性ジメチルポリシロキサン、及びポリオキシアルキレン（ポリオキシエチレン及び／又はポリオキシプロピレン、好ましくはポリオキシエチレン）変性ジメチルポリシロキサンから選ばれる１種以上が好ましい。
なお、（Ｉ）成分における重量平均分子量は、ゲルパーミエーションクロマトグラフィー法により、ポリスチレンを標準物質として測定した値である。
【０１２９】
アミノ変性ジメチルポリシロキサンのアミノ当量（アミノ当量とは窒素原子１個当たりの分子量）は、好ましくは１，５００ｇ／ｍｏｌ以上、より好ましくは２，５００ｇ／ｍｏｌ以上、更に好ましくは３，０００ｇ／ｍｏｌ以上であり、そして、好ましくは４０，０００ｇ／ｍｏｌ以下、より好ましくは２０，０００ｇ／ｍｏｌ以下、更に好ましくは１０，０００ｇ／ｍｏｌ以下である。
【０１３０】
本発明の液体柔軟剤組成物が（Ｉ）成分を含有する場合、（Ｉ）成分に対する（Ａ）成分の質量比［（Ａ）成分／（Ｉ）成分］は、繊維の仕上がり感としてさっぱり感を与える観点からは、好ましくは０．１以上、より好ましくは０．２以上、更に好ましくは０．３以上であり、そして、好ましくは６０以下、より好ましくは５０以下である。
また、本発明の液体柔軟剤組成物が（Ｉ）成分を含有する場合、（Ｉ）成分に対する（Ａ）成分の質量比［（Ａ）成分／（Ｉ）成分］は、液体柔軟性の泡立ち抑制の観点からは、好ましくは１０以上、より好ましくは５０以上、更に好ましくは１００以上であり、そして、好ましくは１，５００以下、より好ましくは１，０００以下である。
【０１３１】
本発明の液体柔軟剤組成物が（Ｉ）成分を含有する場合、その含有量は、繊維製品の仕上り感として、さっぱり感を与える観点から、組成物中、好ましくは０．１質量％以上、より好ましくは０．５質量％以上であり、そして、分散性の観点から、好ましくは５質量％以下である。
また、本発明の液体柔軟剤組成物が（Ｉ）成分を含有する場合、その含有量は、液体柔軟性の泡立ち抑制の観点からは、組成物中、好ましくは０．００１質量％以上、より好ましくは０．００５質量％以上であり、そして、好ましくは１質量％以下、より好ましくは０．５質量％以下、更に好ましくは０．１質量％以下である。
【０１３２】
＜（Ｊ）成分：酸剤＞
本発明の液体柔軟剤組成物は、液体柔軟剤組成物のｐＨを調整する観点から、（Ａ）成分を第３級アミンの酸塩とするための酸剤の他に、（Ｊ）成分として酸剤を含有することができる。
酸剤としては、無機酸及び有機酸が挙げられ、無機酸の具体例としては、塩酸、及び硫酸が挙げられる。有機酸の具体例としては、炭素数１以上１０以下の１価又は多価のカルボン酸、又は炭素数１以上２０以下の１価又は多価のスルホン酸、炭素数１以上３以下のアルキル硫酸が挙げられる。より具体的には、メチル硫酸、エチル硫酸、ｐ−トルエンスルホン酸、（ｏ−、ｍ−、ｐ−）キシレンスルホン酸、ベンゼンスルホン酸、ドデシルベンゼンスルホン酸、グリコール酸、エチレンジアミン４酢酸、クエン酸、安息香酸、及びサリチル酸が挙げられる。
これらの中でも、塩酸、及び炭素数１以上１０以下の１価又は多価のカルボン酸から選ばれる酸剤が好ましく、塩酸、及びクエン酸から選ばれる酸剤がより好ましく、本発明の液体柔軟剤組成物の長期保存後の香り立ちの観点から、塩酸が更に好ましい。この観点で、酸剤として塩酸を用いて（Ｂ）成分を塩酸塩とするのが好ましい。
本発明の液体柔軟剤組成物が酸剤を含有する場合、その含有量は、（Ａ）成分の種類や量によって適宜調整することができ、ｐＨが前記範囲になる範囲であって、保存安定性を損なわない程度が好ましい。
【０１３３】
＜（Ｋ）成分：脂肪酸＞
本発明の液体柔軟剤組成物は、柔軟効果を向上させる観点から、（Ａ）成分の製造に用いた脂肪酸や（Ｊ）成分としての脂肪酸の他に、（Ｋ）成分として、脂肪酸を含有してもよい。
脂肪酸は、（Ａ）成分の合成時の未反応物や、（Ａ）成分の分解物として含有してもよい。
脂肪酸は、好ましくは炭素数１０以上、より好ましくは１２以上、そして、好ましくは炭素数２４以下、より好ましくは２２以下の飽和又は不飽和の脂肪酸であり、脂肪酸の具体例としては、ラウリン酸、ミリスチン酸、パルミチン酸、パルミトレイン酸、ステアリン酸、オレイン酸、リノール酸、エルカ酸、及びベヘニン酸等の炭素数１２以上２２以下の飽和又は不飽和脂肪酸が好ましく、パルミチン酸、ステアリン酸、オレイン酸及びリノール酸から選ばれる脂肪酸がより好ましい。
【０１３４】
＜（Ｌ）成分：水溶性有機溶剤＞
本発明の液体柔軟剤組成物は、保存安定性や粘度の観点から（Ｌ）成分として、水溶性有機溶剤を含有することができる。
水溶性有機溶剤としては、液体柔軟剤組成物に用いられる一般的な水溶性有機溶剤が挙げられる。なお、（Ｌ）成分における「水溶性有機溶剤」とは、２０℃の脱イオン水１００ｇに対して２０ｇ以上溶解する有機溶剤をいう。
水溶性有機溶剤の具体例としては、プロピレングリコール、エチレングリコール、グリセリン、ジエチレングリコール、モノエチレングリコールモノフェニルエーテル、ジエチレングリコールモノフェニルエーテル、トリエチレングリコールモノフェニルエーテル、イソプロパノール、及びエタノール等を挙げることができる。これらの中でも、エチレングリコール、エタノール、及びプロピレングリコールから選ばれる水溶性有機溶剤が好ましい。
【０１３５】
本発明の液体柔軟剤組成物が他の成分によって、十分に安定化され粘度が低い場合は、（Ｌ）成分である水溶性有機溶剤を含有しなくてもよい。
本発明の液体柔軟剤組成物が（Ｌ）成分を含有する場合、その含有量は、組成物中、好ましくは１５質量％以下、より好ましくは１０質量％以下、更に好ましくは５質量％以下である。
【０１３６】
＜（Ｍ）成分：キレート剤＞
本発明の液体柔軟剤組成物は、液体柔軟剤組成物の長期保存時の色相変化や染料の褪色及び香りの変質を抑制する観点から、（Ｍ）成分として、キレート剤を用いることが好ましい。なお、本発明における（Ｍ）成分は前記酸剤としての機能も有していてもよい。
キレート剤の具体例としては、エタン−１−ヒドロキシ−１，１−ジホスホン酸、エチレンジアミン四酢酸、メチルグリシン二酢酸、ヒドロキシエチルイミノ二酢酸、エチレンジアミン二コハク酸、Ｌ−グルタミン酸−Ｎ，Ｎ−二酢酸、Ｎ−２−ヒドロキシエチルイミノ二酢酸、クエン酸、コハク酸、及びそれらの塩が挙げられる。
塩としては、アルカリ金属塩、アンモニウム塩が好ましく、ナトリウム塩、カリウム塩がより好ましい。
本発明の液体柔軟剤組成物が（Ｍ）成分を含有する場合、その含有量は、酸型に換算して組成物中、好ましくは０．００１質量％以上、より好ましくは０．００５質量％以上であり、そして、好ましくは２質量％以下、より好ましく１．５質量％以下、更に好ましくは１．０質量％以下、更により好ましくは０．５質量％以下である。
【０１３７】
＜（Ｎ）成分：その他の成分＞
本発明の液体柔軟剤組成物においては、基材の劣化を抑制する観点から、ブチルヒドロキシトルエン（ＢＨＴ）等の酸化防止剤を用いることができ、また、審美や長期保存時の着色を防ぐ観点から、液体柔軟剤組成物において一般的に用いられる染料及び顔料を用いることもできる。更に、防菌、防腐剤に使用できることが知られている化合物又は化合物の組合せやプロキセルの商品名で市販されている防菌、防黴剤を用いることもできる。
なお本発明の（Ｂ）成分は塩酸塩が好ましいことは前記したが、液体柔軟剤組成物の保存安定性の観点から、有機酸又は有機酸塩、例えばキレート剤などとして配合される有機酸又は有機酸塩の、本発明の液体柔軟剤組成物中の含有量は、酸型に換算して、好ましくは２．５質量％以下、より好ましくは１．５質量％以下、更に好ましくは１．０質量％以下である。ここで、前記有機酸又は有機酸塩からは、（Ａ）成分の対イオンである酸と脂肪酸は除かれる。
【０１３８】
本発明の液体柔軟剤組成物は、繊維製品用として好適であり、繊維製品としては、衣料、布帛、寝具、タオル等が挙げられる。
【０１３９】
本発明の液体柔軟剤組成物は、乳濁型の液体柔軟剤組成物であってよい。ここで、乳濁型の液体柔軟剤組成物は、波長６６０ｎｍの可視光の透過率が１０％未満であるものが挙げられる。当該透過率は、具体的には、後述の実施例の方法で測定されたものである。
【実施例】
【０１４０】
実施例及び比較例で使用した成分を以下に示す。
＜（Ａ）成分＞
（ａ−１）：下記合成例ａ−１で得られた反応混合物
（ａ−２）：下記合成例ａ−２で得られた反応混合物
【０１４１】
〔合成例ａ−１：（ａ−１）の製造〕
トリエタノールアミンとＲ１ＣＯＯＨで表される脂肪酸を、反応モル比（脂肪酸／トリエタノールアミン）が１．６５／１で、エステル化反応させ、一般式（１）で表されるアミン化合物を含むエステル化反応物を得た。
エステル化反応物中には、未反応の脂肪酸（組成は後述の通り）が５質量％含まれていた。エステル化反応物中のアミン化合物のアミンに対して、メチル基が０．９６等量となるように、ジメチル硫酸で４級化反応を行った後、エタノールを１０質量％添加した。
【０１４２】
得られた反応物をＨＰＬＣ法で各成分の組成比を分析し、臭化テトラオクチルアンモニウムを内部標準物質として使用し定量した結果、得られた反応物は、下記の（ａ１１−１）成分、（ａ１１−２）成分、（ａ２１−１）成分〜（ａ２１−３）成分、及び未反応の脂肪酸からなる混合物（合計で１００質量％）であった。４級化率は８６％であった。４級化率はアミン価から求めることができる。
【０１４３】
（  ）内の含有量は、（ａ１１−１）成分、（ａ１１−２）成分、（ａ２１−１）成分〜（ａ２１−３）成分の第４級アンモニウムイオン部分（ＣＨ３ＯＳＯ３−を除く部分）、及び未反応の脂肪酸の合計における各成分の含有割合を示す。
【０１４４】
【化４】
2020023773.tif 000005
【０１４５】
なお（ａ−１）を製造するための反応に用いたＲ１ＣＯＯＨの組成を以下に示す。
パルミチン酸：４５質量％
ステアリン酸：２５質量％
炭素数１８で、不飽和基を１つ有する脂肪酸：２７質量％
炭素数１８で、不飽和基を２つ有する脂肪酸：３質量％
前記組成は、原料に使用した脂肪酸をガスクロマトグラフィーで組成分析し、各脂肪酸の面積％を質量％とみなした。前記不飽和基のシス／トランス体の質量比は８５／１５（１Ｈ-ＮＭＲによる、積分比）である。
【０１４６】
〔合成例ａ−２：（ａ−２）の製造〕
Ｎ−メチルジエタノールアミンとＲ１ＣＯＯＨで表される脂肪酸を、反応モル比（脂肪酸／トリエタノールアミン）が１．９／１で、エステル化反応させ、一般式（１）で表されるアミン化合物を含むエステル化反応物を得た。
エステル化反応物中には、未反応の脂肪酸（組成は後述の通り）が５質量％含まれていた。エステル化反応物中のアミン化合物のアミンに対して、１０質量％のエタノールを添加し均一に混合した後、前記アミンに対してメチル基が０．９８等量となるように、塩化メチルで４級化反応を行った。
４級化率は８９％であった。
得られた反応物をＨＰＬＣ法で各成分の組成比を分析し、臭化テトラオクチルアンモニウムを内部標準物質として使用し定量した結果、得られた反応物は、下記の（ａ１２−１）成分、（ａ２２−１）成分〜（ａ２２−２）成分、及び未反応の脂肪酸からなる混合物（合計で１００質量％）であった。
（  ）内の数字は、（ａ１２−１）成分、（ａ２２−１）成分〜（ａ２２−２）成分の第４級アンモニウムイオン部分（Ｃｌ−を除く部分）、及び未反応の脂肪酸の合計における各成分の含有割合を示す。
【０１４７】
【化５】
2020023773.tif 000006
【０１４８】
なお（ａ−２）を製造するための反応に用いたＲ１ＣＯＯＨの組成を以下に示す。
パルミチン酸：１０質量％
ステアリン酸：６０質量％
炭素数１８で、不飽和基を１つ有する脂肪酸：３０質量％
前記組成は、原料に使用した脂肪酸をガスクロマトグラフィーで組成分析し、各脂肪酸の面積％を質量％とみなした。前記不飽和基のシス／トランス体比は１／１（１Ｈ−ＮＭＲによる、積分比）である。
【０１４９】
＜（Ｂ）成分＞
（ｂ−１）：下記合成例ｂ−１で得られたＮ−（３−アルカノイルアミノプロピル）−Ｎ，Ｎ−ジメチルアミン
〔合成例ｂ−１：（ｂ−１）の製造〕
牛脂硬化脂肪酸組成を有する混合脂肪酸とＮ−アミノプロピル−Ｎ，Ｎ−ジメチルアミンとを脂肪酸／アミン＝０．９５／１のモル比で通常の方法により脱水縮合反応して、Ｎ−（３−アルカノイルアミノプロピル）−Ｎ，Ｎ−ジメチルアミンを得た。
【０１５０】
＜（Ｃ）成分＞
・（Ｃ１）成分
（ｃ１−１−１）：Ｓｉ（Ｏ−Ｇｅｒａｎｙｌ）４
なお、（ｃ１−１−１）における「Ｇｅｒａｎｙｌ」は、ゲラニオール（１級アリルアルコール性香料、ｌｏｇＰ２．４）から水酸基を１個除いた基を表す。
（ｃ１−１−２）：Ｓｉ（Ｏ−Ｒａｓｐ）（Ｏ−Ｆｏｌｒｏｓｉａ）３
なお、（ｃ１−１−２）における「Ｒａｓｐ」は、ラズベリーケトン（フェノール性香料、ｌｏｇＰ１．１）からフェノール性水酸基を１個除いた基を表し、「Ｆｏｌｒｏｓｉａ」は、フォルロージア（４−イソプロピルシクロヘキサノール、２級アルコール性香料、ｌｏｇＰ２．７）から水酸基を１個除いた基を、それぞれ表す。
【０１５１】
前記（ｃ１−１−１）及び前記（ｃ１−１−２）は、下記合成例ｃ−１−１、合成例ｃ−１−２により合成した。
【０１５２】
（合成例ｃ−１−１：Ｓｉ（Ｏ−Ｇｅｒａｎｙｌ）４の合成）
２００ｍＬの四つ口フラスコにテトラエトキシシラン２７．０８ｇ（０．１３ｍｏｌ）、ゲラニオール７２．３０ｇ（０．４７ｍｏｌ）及び２．８質量％ナトリウムメトキシドメタノール溶液０．４８５ｍＬを入れ、窒素気流下エタノールを留出させながら１１０〜１２０℃で２時間撹拌した。
２時間後、槽内の圧力を徐々に８ｋＰａまで下げ、エタノールを留出させながら１１７〜１２０℃でさらに４時間撹拌した。４時間後、冷却、減圧を解除した後、濾過を行い、ゲラニオールのケイ酸エステル香料前駆体を含む７６．９２ｇの黄色油状物を得た。
【０１５３】
（合成例ｃ−１−２：Ｓｉ（Ｏ−Ｒａｓｐ）（Ｏ−Ｆｏｌｒｏｓｉａ）３の合成）
５００ｍＬの四つ口フラスコにテトラエトキシシラン８３．３２ｇ（０．４０ｍｏｌ）、ラズベリーケトン５９．１１ｇ（０．４４ｍｏｌ）、フォルロージア１５３．０６２ｇ（１．０８ｍｏｌ）及び５．２７５質量％ナトリウムエトキシドエタノール溶液０．５０ｇを入れ、窒素気流下エタノールを留出させながら１５０℃で約２時間撹拌を行った。
２時間後、槽内の圧力を徐々に４ｋＰａまで下げ、エタノールを留出させながら１５０℃でさらに１５時間撹拌した。その後、冷却、減圧を解除した後、濾過を行い、ラズベリーケトンとフォルロージアのモル比１：３のケイ酸エステル化合物を含む２０２．６３ｇの黄色油状物を得た。
【０１５４】
・（Ｃ２）成分
（ｃ−２−１）：ラウリン酸とエチルバニリンとのエステル
（ｃ−２−２）：ラウリン酸とエチルマルトールとのエステル
【０１５５】
前記（ｃ１−２−１）及び前記（ｃ１−２−２）については、下記合成例ｃ−２−１、合成例ｃ−２−２により合成した。
【０１５６】
〔合成例ｃ−２−１：ラウリン酸とエチルバニリンとのエステルの製造〕
窒素雰囲気下、３００ｍＬの四つ口フラスコに、ラウリン酸クロリド８．９５ｇ（０．０４１ｍｏｌ）、ジクロロメタン４０ｍＬを入れ、０℃に冷却した。一方、１００ｍＬの滴下ロートに、エチルバニリン６．８０ｇ（０．０４１ｍｏｌ）、トリエチルアミン４．３５ｇ（０．０４３ｍｏｌ）、ジクロロメタン４０ｍＬを入れた。滴下ロートより反応温度が−５℃〜０℃に保たれるようフラスコに４０分かけて滴下を行った。滴下終了後、室温（２５℃）で２時間撹拌を行った。フラスコに飽和塩化アンモニウム水溶液１０ｍＬを添加し、反応を停止した。ジエチルエーテル１５０ｍＬを添加し、生成した白色固体をろ過で除去し、ろ液を分液ロートに移した。分液ロートにイオン交換水１００ｍＬを添加し、ジエチルエーテル５０ｍＬで水層から３回抽出を行った。抽出溶液を集め、飽和食塩水で洗浄し、硫酸ナトリウムで溶液を乾燥した。溶媒を減圧除去後、淡黄色固体のラウリン酸とエチルバニリンとのエステル１４．２０ｇ（収率９９％）を得た。最終物はＮＭＲ及びＩＲを用いて目的の化合物が製造できているか確認された。
【０１５７】
〔合成例ｃ−２−２：ラウリン酸とエチルマルトールとのエステルの製造〕
窒素雰囲気下、３００ｍＬの四つ口フラスコに、ラウリン酸クロリド１０．００ｇ（０．０４６ｍｏｌ）、ジクロロメタン４５ｍＬを入れ、０℃に冷却した。一方、１００ｍＬの滴下ロートに、エチルマルトール６．４１ｇ（０．０４６ｍｏｌ）、トリエチルアミン４．８６ｇ（０．０４８ｍｏｌ）、ジクロロメタン４５ｍＬを入れた。滴下ロートより反応温度が−５℃〜０℃に保たれるようフラスコに３０分かけて滴下を行った。滴下終了後、室温（２５℃）で１時間撹拌を行った。フラスコに飽和塩化アンモニウム水溶液１０ｍＬを添加し、反応を停止した。ジエチルエーテル１５０ｍＬを添加し、生成した白色固体をろ過で除去し、ろ液を分液ロートに移した。分液ロートにイオン交換水１００ｍＬを添加し、ジエチルエーテル５０ｍＬで水層から３回抽出を行った。抽出溶液を集め、飽和食塩水で洗浄し、硫酸ナトリウムで溶液を乾燥した。溶媒を減圧除去後、淡黄色固体のラウリン酸とエチルマルトールとのエステル１４．７４ｇ（収率１００％）を得た。同様に最終物はＮＭＲ及びＩＲを用いて目的の化合物が製造できているか確認された。
【０１５８】
・（Ｃ３）成分
（ｃ−３−１）：下記製造例ｃ−３−１で得られた、香料含有マイクロカプセルスラリー（ｃ−３−２）：下記製造例ｃ−３−２で得られた、香料含有マイクロカプセルスラリー
【０１５９】
〔製造例ｃ−３−１：（ｃ−３−１）の製造〕
ジイソブチレン−無水マレイン酸共重合体（デモールＥＰ、固形分２５％、花王株式会社）１．７ｇを塩酸で中和後、更にイオン交換水で希釈することにより、固形分３％、ｐＨ４．３の水溶液を得た。次に、前記ジイソブチレン−無水マレイン酸共重合体水溶液１００ｇに、アルコール系香料化合物としてゲラニオール、ターピネオール及びテトラヒドロリナロールを香料１０００質量部あたり、９０質量部含有している表１の組成の（Ｃ３）用香料）を３６ｇ加え、ホモミキサーを用いて乳化し、これを５０℃に昇温した。次に、部分メチロール化メラミン樹脂（商品名Cymel385、固形分80％、CytecIndustries Inc製）を１２ｇ、イオン交換水３５ｇを混合した水溶液を滴下した。これを５０℃で２時間保持し、さらに７０℃で１時間保持し、さらに８０℃で３時間保持し、封入を完了させた。その後、放冷することによって、平均粒径７μｍ、有効分３０質量％のマイクロカプセルスラリーを得た。
【０１６０】
【表１】
2020023773.tif 000007
【０１６１】
〔製造例ｃ−３−２：（ｃ−３−２）の製造〕
イオン交換水２４０ｇを１Ｌ４つ口フラスコに加えた。４つ口フラスコには２本の滴下ロートを接続し、１本の滴下ロートにはアクリル酸９８．８ｇ（和光純薬工業株式会社製）、アクリルアミド２０．０ｇを混合した液（モノマー液）を入れておき、もう１本の滴下ロートにはＶ−５０（和光純薬工業株式会社製、２，２−アゾビス（２−メチルプロピオアミジン）ジヒドロクロライド）３．７５ｇをイオン交換水７５ｇで希釈した液（開始剤液）を入れた。この装置を２１０ｋＰａまで減圧し、窒素で常圧に戻す作業を３回繰り返すことにより、脱気した。フラスコ内を７０℃に加熱後、モノマー液を３．７ｇ／分、開始剤液を１．３ｇ／分となるように滴下し、滴下後さらに２時間熟成後、反応液を冷却した。反応液３００ｇをアセトン８００ｇに滴下することにより、ポリマーの再沈殿を行なった。得られたポリマーを６０ｋＰａの減圧下８０℃で４８時間乾燥し、アクリル酸−アクリルアミド共重合体５２ｇを得た。重量平均分子量は１７万であった。
【０１６２】
上記の方法で得られたアクリル酸−アクリルアミド共重合体２．４ｇをイオン交換水８４ｇに希釈し、水酸化ナトリウム水溶液でｐＨ４に調製した。これに部分メチロール化メラミン樹脂（商品名Cymel385）３ｇを加え、３０分間撹拌を行なった。次に、前記合成例ｂ−１で用いた、前記表１の組成の（Ｃ３）用香料を７６ｇ加え、ホモミキサーを用いて乳化し、これを５０℃に昇温し、１時間保持した。一方で、アクリル酸−アクリルアミド共重合体１ｇ、イオン交換水４８ｇを混合した水溶液を水酸化ナトリウムでｐＨ４．８に調製し、部分メチロール化メラミン樹脂（商品名Cymel385）１０ｇ、硫酸ナトリウム１．５ｇを加え、３０分間撹拌後、これを乳化液に加えた。７０℃で１４時間保持した後、冷却し、平均粒径７μｍ、有効分３０質量％のマイクロカプセルスラリーを得た。
【０１６３】
＜（Ｄ）成分＞
（ｄ−１）：表２記載の香料
【０１６４】
【表２】
2020023773.tif 000008
【０１６５】
＜（Ｅ）成分＞
（ｅ−１）：ラウリルアルコールにエチレンオキサイドを平均３０モル付加させた化合物
すなわち、一般式（Ｅ１−１）においてＲ１ｅが直鎖の炭素数１２のアルキル基であって酸素原子と結合するＲ１ｅの炭素原子が第１級炭素原子であり、ｋが３０である非イオン性界面活性剤
【０１６６】
＜（Ｈ）成分＞
（ｈ−１）成分：塩化カルシウム
＜（Ｉ）成分＞
（ｉ−１）：下記合成例ｉ−１で製造した、ジメチルポリシロキサンの水性エマルジョン。
［合成例ｉ−１の製造］
平均付加モル数５モルのポリオキシエチレンラウリルエーテル５ｇを、ジメチルポリシロキサン（２５℃における粘度５００，０００ｍｍ２／ｓ）３００ｇに高せん断力をかけながら添加し、さらに１０分間、高せん断力で攪拌し続けた。その後、イオン交換水を３０ｇ添加し、次に平均付加モル数２モルのポリオキシエチレンラウリルエーテル硫酸ナトリウム２ｇ、平均付加モル数４０モルのポリオキシエチレンミリスチルエーテル１５ｇを加え、さらに高せん断力下、攪拌を３０分間続け、その後、水を２４８ｇ加えて攪拌し、ジメチルポリシロキサンの水性エマルジョン〔（ｉ−１）〕を得た。（ｉ−１）中の乳化粒子の体積平均粒径は５００ｎｍであった。また、（ｉ−１）中のジメチルポリシロキサンの含有量は５０質量％であった。体積平均粒径は水性エマルジョンをエタノール中に分散させ、電気泳動光散乱光度計（大塚電子（株）製、型式ＥＬＳ−８０００）を用いて、２０℃で測定した。
【０１６７】
＜（Ｌ）成分＞
(ｌ−１)：プロピレングリコール
【０１６８】
＜（Ｍ）成分＞
（ｍ−１）成分：メチルグリシン二酢酸３ナトリウム
【０１６９】
＜（Ｎ）成分＞
（ｎ−１）成分：プロキセルＢＤＮ（アーチ・ケミカル・ジャパン社製）
【０１７０】
＜ｐＨ調整剤＞
液体柔軟剤組成物のｐＨを調整するため、必要に応じて適宜、水酸化ナトリウム又は（Ｊ）成分であるクエン酸、塩酸を使用した。
【０１７１】
＜実施例１、２及び比較例１、２並びに配合例＞
〔液体柔軟剤組成物の調製〕
表３、表４及び表５に示す配合組成となるように各成分を混合することにより、液体柔軟剤組成物を調製した。具体的には、以下の通りである。なお、表中の組成の質量％は、有効分の質量％である。
３００ｍＬビーカーに、液体柔軟剤組成物のできあがり量が２００ｇとなるのに必要な量の８５質量％に相当する量のイオン交換水と、（Ｅ）成分、（Ｉ）成分、場合により（Ｌ）成分、（Ｍ）成分、（Ｎ）成分、及びｐＨ調整剤とを入れ、ウォーターバスを用いてイオン交換水の温度を６０±２℃に調温した。（Ｅ）成分がイオン交換水中に均一に溶解するように、必要に応じて撹拌羽根を用いて撹拌することにより混合液を得た。なお、撹拌羽根としては、直径が５ｍｍの撹拌棒の回転中心軸を基準として、長辺が９０度方向になるように配置された撹拌羽根であって、羽根の数３枚、羽根の長辺／短辺＝３ｃｍ／１．５ｃｍ、回転面に対して４５度の角度で羽根が設置されたものを用いた。
【０１７２】
６０±２℃の温度に調温した混合液を、前記撹拌羽根で撹拌（３００ｒ／ｍ）した。これに、６５℃で加熱溶解させた（Ａ）及び（Ｂ）成分を３分間掛けて投入し、更に場合により（Ｃ２）成分を投入し、投入終了後、１５分間撹拌した。
次に、５℃のウォーターバスを用いて、混合液の温度が３０±２℃になるまで冷却した。これに、場合により（Ｃ１）成分、（Ｃ３）成分と、（Ｄ）成分、（Ｈ）成分を順次投入し、５分間撹拌した。更に、できあがり質量（２００ｇ）となるようにイオン交換水を加え、５分間撹拌して液体柔軟剤組成物を得た。
得られた液体柔軟剤組成物について可視光透過率を測定した。具体的には、測定セルとして光路長１０ｍｍのガラスセルを使用し、対照セルにイオン交換水を入れ、紫外可視分光光度計（島津製作所製のＵＶ−２５００ＰＣ）を用いて測定した。実施例及び比較例で得られた液体柔軟剤組成物の可視光線透過率（波長６６０ｎｍ）は、全て１０％未満であり、乳濁型液体柔軟剤組成物であった。
【０１７３】
〔評価〕
あらかじめ、市販の弱アルカリ性洗剤（花王株式会社、アタック）を用いて、肌着（グンゼ株式会社、紳士用丸首半袖シャツ、Ｌサイズ）１７枚を株式会社日立製作所製全自動洗濯機ＮＷ−６ＣＹで５回洗浄を繰り返し、室内乾燥することによって過分の薬剤を除去した。１回ごとの洗浄条件は、洗剤濃度０．０６６７質量％、水道水４７Ｌ、水温２０℃、洗浄１０分、ためすすぎ２回、脱水６分とした。
【０１７４】
パナソニック株式会社製電気バケツＮ−ＢＫ２−Ａに、４Ｌの水道水に液体柔軟剤組成物を０．８６７ｇ（１０ｇ／肌着１．５ｋｇ）分散させた処理液を投入し、さらに上述の方法で洗濯した肌着１枚を入れて、５分間撹拌した。その後、液体柔軟剤組成物で仕上げた肌着を株式会社日立製作所製二槽式洗濯機の脱水槽で３分脱水を行ってから、２０℃、４０％ＲＨの部屋にハンガーで吊るして２４時間乾燥した。１つの液体柔軟剤組成物につき、この操作を３回行い、液体柔軟剤組成物で仕上げた肌着を５枚ずつ用意した。
【０１７５】
（１）香りの持続性
用意した肌着のうち１枚を畳んで、２０℃／６０％ＲＨの部屋に７日間保管した。保管後、香りを評価する専門のパネラー５人により香りの残り具合を評価した。
評価は、下記基準で行い、５人の評価の平均値を評価結果とした。
＜評価基準＞
３：強く香りを感じる
２：弱く香りを感じる
１：微弱に香りを感じる
０：かなり微弱に香りを感じる
【０１７６】
表３にはアルコール系香料前駆体としてケイ酸エステル化合物を含有する場合の液体柔軟剤組成物とその評価結果が開示されており、表４にはアルコール系香料前駆体としてアルコール系香料化合物と脂肪酸とのエステル化合物を含有する場合の液体柔軟剤組成物とその評価結果が開示されている。
【０１７７】
【表３】
2020023773.tif 000009
【０１７８】
【表４】
2020023773.tif 000010
【０１７９】
表５は本発明の液体柔軟剤組成物の配合例を開示している。いずれの配合例もアルコール系香料の持続性を感じることができる。
【０１８０】
【表５】
2020023773.tif 000011
【０１８１】
＜実施例３及び比較例３＞
実施例１等と同様に表６に示す配合組成の液体柔軟剤組成物を調製した。なおクエン酸は酸型の配合量、塩酸は１０質量％塩酸水溶液の配合量として記載した。得られた液体柔軟剤組成物について可視光透過率を実施例１等と同様に測定したところ、可視光線透過率（波長６６０ｎｍ）は、全て１０％未満であり、乳濁型液体柔軟剤組成物であった。
得られた液体柔軟剤組成物を用いて、実施例１等と同様に香りの持続性を評価した。ただし、評価は、調製直後の組成物と、４０℃で３ヶ月保存した後の組成物の両方について行った。結果を表６に示す。
【０１８２】
表６にはｐＨ調整剤として塩酸又はクエン酸を使用して得られた液体柔軟剤組成物の調製直後と４０℃、３ヶ月保存後の評価結果が開示されている。なお比較例３−１及び３−２は４８％ＮａＯＨ水を用いてｐＨを３．３に調整した。
【０１８３】
【表６】
2020023773.tif 000012
【０１８４】
以上の結果より明らかなように、本発明の液体柔軟剤組成物は、繊維製品を処理した場合に、優れた香りの持続性を付与することができる。また、酸剤として塩酸を用いた場合は、（Ｂ）成分が塩酸塩となり、長期保存後の香りの持続性にも優れるものとなる。